(57)【要約】  少なくとも１つの水晶発振器及び／又は少なくとも１つのトランスデューサを有する計時器。計時器を認証する方法は、計時器によって発せられた音響震動を測定して、電気信号を得るステップと、少なくとも１つのドメインへの前記電気信号の変換を実行するステップと、変換された電気信号から識別情報を抽出するステップと、抽出された情報を少なくとも１つの基準情報と比較するステップと、比較するステップに基づいて前記計時器の真正性を決定するステップとを含む。【選択図】  図１１【特許請求の範囲】
【請求項１】
少なくとも１つの水晶発振器、及び
少なくとも１つのトランスデューサ
のうちの少なくとも１つを備える計時器。
【請求項２】
前記少なくとも１つの水晶発振器が、水晶ベース電子発振器である、請求項１に記載の計時器。
【請求項３】
それぞれの水晶ベース電子発振器が、
水晶結晶板と、
前記水晶結晶板を駆動するように構成された電子回路と
を備え、
駆動されると、前記水晶結晶板が振動電子信号を発生する、請求項２に記載の計時器。
【請求項４】
前記少なくとも１つの水晶発振器のうちの少なくとも１つのものの前記水晶結晶板が、前記計時器のための時間基準として働く共振周波数を有する圧電機械共振器を備える、請求項３に記載の計時器。
【請求項５】
前記計時器を駆動する及び／又は動作させるように構成された電子及び／又は電気機械回路をさらに備える、請求項２に記載の計時器。
【請求項６】
前記少なくとも１つの水晶発振器及び前記少なくとも１つのトランスデューサのうちの前記少なくとも１つが、単一の水晶発振器を備える、請求項１に記載の計時器。
【請求項７】
前記水晶発振器が、前記計時器のための時間管理を実行するように構造化され構成されている、請求項６に記載の計時器。
【請求項８】
前記水晶結晶板と、前記水晶結晶板を駆動する電子回路とが、改変されていない、請求項３に記載の計時器。
【請求項９】
前記少なくとも１つの水晶発振器が、改変された水晶発振器を備え、前記改変された水晶発振器は、前記改変された水晶発振器が発生する音響信号に追加情報を符号化するように改変されている、請求項１に記載の計時器。
【請求項１０】
前記改変された水晶発振器が、改変された水晶結晶板を備える、請求項９に記載の計時器。
【請求項１１】
前記改変された水晶発振器が、改変された水晶結晶板、前記水晶結晶板を駆動するように構成された改変された電子回路、及び前記計時器を駆動する及び／又は動作させるように構成された改変された電子／電気機械回路のうちの少なくとも１つを備える、請求項９に記載の計時器。
【請求項１２】
前記改変された水晶発振器が、振幅変調型及び周波数変調型のうちの一方である、請求項９に記載の計時器。
【請求項１３】
前記少なくとも１つの水晶発振器及び前記少なくとも１つのトランスデューサのうちの前記少なくとも１つが、複数の水晶発振器を備える、請求項１に記載の計時器。
【請求項１４】
前記複数の水晶発振器が、時間管理目的に専用の第１の水晶発振器と、前記計時器中にあり、時間管理目的に使用されない少なくとも第２の水晶発振器とを備える、請求項１３に記載の計時器。
【請求項１５】
前記第１の水晶発振器及び前記少なくとも１つの第２の水晶発振器が各々異なる周波数ドメインを有する、請求項１４に記載の計時器。
【請求項１６】
前記少なくとも１つの第２の水晶発振器が、符号化された信号を一斉送信するように動作可能である、請求項１４に記載の計時器。
【請求項１７】
前記第１の水晶発振器の周波数ドメインが、前記少なくとも１つの第２の水晶発振器の周波数ドメインに基づく、請求項１４に記載の計時器。
【請求項１８】
前記少なくとも１つの第２の水晶発振器の周波数ドメインが、前記第１の水晶発振器の周波数ドメインに基づく、請求項１４に記載の計時器。
【請求項１９】
時間管理目的に専用の前記第１の水晶発振器と、前記第１の水晶発振器を駆動する前記電子回路と、前記計時器中にあり、時間管理目的に使用されない前記少なくとも１つの第２の水晶発振器とが、改変されていない、請求項１４に記載の計時器。
【請求項２０】
前記少なくとも１つの第２の水晶発振器が、符号化された情報を有する音響信号を発するように構造化され配列されている、請求項１４に記載の計時器。
【請求項２１】
共振周波数が検出される１つ又は複数の構成要素が、単一の共振器として働く２つ以上の構成要素を備える、請求項１に記載の計時器。
【請求項２２】
前記少なくとも１つの水晶発振器及び前記少なくとも１つのトランスデューサのうちの前記少なくとも１つが、前記少なくとも１つの水晶発振器及び前記少なくとも１つのトランスデューサを備える、請求項１に記載の計時器。
【請求項２３】
前記少なくとも１つの水晶発振器及び前記少なくとも１つのトランスデューサが、水晶発振器及びトランスデューサを備える、請求項１に記載の計時器。
【請求項２４】
前記少なくとも１つの水晶発振器が、特別な音調を発生するように構造化され配列されている、請求項１に記載の計時器。
【請求項２５】
前記計時器がモバイルデバイスに備えられている、請求項１に記載の計時器。
【請求項２６】
前記計時器が腕時計である、請求項１に記載の計時器。
【請求項２７】
水晶結晶板と、前記水晶結晶板を駆動する電子回路とが、改変されていない、請求項１に記載の計時器。
【請求項２８】
計時器を認証する方法であって、
前記計時器によって発せられた音響震動を測定して、電気信号を得るステップと、
少なくとも１つのドメインへの前記電気信号の変換を実行するステップと、
前記変換された電気信号から識別情報を抽出するステップと、
前記抽出された情報を少なくとも１つの基準情報と比較するステップと、
前記比較するステップに基づいて前記計時器の真正性を決定するステップと
を含む、方法。
【請求項２９】
計時器を認証する方法であって、前記計時器が、少なくとも１つの水晶発振器及び少なくとも１つのトランスデューサのうちの少なくとも１つを備え、前記水晶発振器、及び前記水晶発振器を駆動する電子回路のうちの少なくとも１つが、前記少なくとも１つの水晶発振器が発生する音響信号に追加情報を符号化するように改変され、
当該方法が、
水晶の共振周波数を変調して、信号周波数スペクトルに１組の追加のピークを発生させるステップと、
前記計時器によって発せられた音響震動を測定して、電気信号を得るステップと、
前記電気信号から識別情報を抽出するステップと、
前記抽出された情報を少なくとも１つの基準共振情報と比較するステップと、
前記比較するステップに基づいて前記計時器の真正性を決定するステップと
を含む、方法。
【請求項３０】
請求項７に記載の前記計時器を認証する方法であって、
前記計時器によって発せられた音響震動を測定して、電気信号を得るステップと、
あるドメインへの前記電気信号の変換を実行するステップと、
前記変換された電気信号から識別情報を抽出するステップと、
前記抽出された情報を少なくとも１つの基準共振情報と比較するステップと、
前記比較するステップに基づいて前記計時器の真正性を決定するステップと
を含む、方法。
【請求項３１】
請求項９に記載の前記計時器を認証する方法であって、
前記計時器によって発せられた音響震動を測定して、電気信号を得るステップであり、前記電気信号が、前記測定された音響震動の大きさの変化を時間の関数として含む大きさ情報を示し、前記電気信号が、前記計時器の要素の存在に関連する少なくとも１つの特別な音調を含む、ステップと、
周波数ドメインへの前記電気信号の変換を実行して、前記電気信号の電力の変化を周波数の関数として示す周波数ドメイン電力スペクトルを得るステップと、
前記周波数ドメイン電力スペクトルを処理して、前記少なくとも１つの特別な音調に対応する前記周波数ドメイン電力スペクトルの少なくとも１つの狭いピークを見えるようにするステップと、
前記少なくとも１つの狭いピークに対応する少なくとも１つの共振周波数を抽出するステップと、
前記抽出された少なくとも１つの共振周波数を少なくとも１つの基準共振周波数と比較するステップと、
前記比較するステップに基づいて前記計時器の真正性を決定するステップと
を含む、方法。
【請求項３２】
請求項１１に記載の前記計時器を認証する方法であって、
前記計時器によって発せられた音響震動を測定して、電気信号を得るステップであり、前記電気信号が、前記測定された音響震動の大きさの変化を時間の関数として含む大きさ情報を示し、前記電気信号が、前記計時器の前記水晶発振器の存在に関連する少なくとも１つの特別な音調を含む、測定するステップと、
周波数ドメインへの前記電気信号の変換を実行して、前記電気信号の電力の変化を周波数の関数として示す周波数ドメイン電力スペクトルを得るステップと、
前記周波数ドメイン電力スペクトルを処理して、前記少なくとも１つの特別な音調に対応する前記周波数ドメイン電力スペクトルの少なくとも１つの狭いピークを見えるようにするステップと、
前記少なくとも１つの狭いピークに対応する少なくとも１つの共振周波数を抽出するステップと、
前記抽出された少なくとも１つの共振周波数を少なくとも１つの基準共振周波数と比較するステップと、
前記比較するステップに基づいて前記計時器の真正性を決定するステップと
を含む、方法。
【請求項３３】
請求項１１に記載の前記計時器を認証する方法であって、
前記計時器によって発せられた音響震動を測定して、電気信号を得るステップであり、前記電気信号が、前記測定された音響震動の大きさの変化を時間の関数として含む大きさ情報を示す、測定するステップと、
前記時間ドメインの前記電気信号を復調するステップと、
前記復調された電気信号を復号して、復号されたメッセージを見えるようにするステップと、
前記復号されたメッセージを少なくとも１つの基準メッセージと比較するステップと、
前記比較するステップに基づいて前記計時器の真正性を決定するステップと
を含む、方法。
【請求項３４】
請求項１１に記載の前記計時器を認証する方法であって、
前記計時器によって発せられた音響震動を測定して、電気信号を得るステップであり、前記電気信号が、前記測定された音響震動の大きさの変化を時間の関数として含む大きさ情報を示し、前記電気信号が、前記計時器の前記水晶発振器の存在に関連する少なくとも１つの特別な音調を含む、測定するステップと、
時間−周波数ドメインへの前記電気信号の時間−周波数ドメイン変換を実行するステップと、
前記電気信号を処理して、識別情報を見えるようにするステップと、
前記識別情報を少なくとも１つの基準情報と比較するステップと、
前記比較するステップに基づいて前記計時器の真正性を決定するステップと
を含む、方法。
【請求項３５】
請求項１４に記載の前記計時器を認証する方法であって、
検出信号を送るステップと、
前記検出信号に応答して、前記計時器によって発せられた音響震動を測定して、電気信号を得るステップであり、前記電気信号が、前記測定された音響震動の大きさの変化を時間の関数として含む大きさ情報を示し、前記電気信号が、前記計時器の前記トランスデューサの存在に関連する少なくとも１つの特別な音調を含む、測定するステップと、
前記電気信号を復号して、復号されたメッセージを見えるようにするステップと、
前記復号されたメッセージを少なくとも１つの基準メッセージと比較するステップと、
前記比較するステップに基づいて前記計時器の真正性を決定するステップと
を含む、方法。
【請求項３６】
少なくとも２つの水晶発振器を備える計時器であって、第１の水晶発振器が、時間管理目的に専用であり、少なくとも第２の水晶発振器が、前記計時器中にあり、時間管理目的に使用されない、計時器。
【請求項３７】
計時器の時間基準として働く共振周波数を有する水晶結晶板圧電機械共振器と、水晶結晶板を駆動し、振動電子信号を発生するように構成された電子回路とを有する水晶ベース電子発振器を備える少なくとも１つの水晶発振器、及び
少なくとも１つのトランスデューサ
のうちの少なくとも１つを備える計時器。
【請求項３８】
計時器の時間基準として働く共振周波数を有する水晶結晶板圧電機械共振器と、水晶結晶板を駆動し、振動電子信号を発生するように構成された電子回路とを有する水晶ベース電子発振器を備える少なくとも１つの水晶発振器、及び
少なくとも１つのトランスデューサ
のうちの少なくとも１つを備えるデバイスであって、
前記少なくとも１つの水晶発振器及び前記少なくとも１つのトランスデューサのうちの少なくとも１つが、識別信号を発するように構成されている、デバイス。
【発明の詳細な説明】
【技術分野】
【０００１】
[0001]本発明は、水晶発振器を使用して認証するための方法及びシステムに関する。
【背景技術】
【０００２】
[0002]一般に模造品と呼ばれる偽造消費財は、売りに出された偽造又は模倣品である。偽造品の拡散は、近年世界的になっており、偽造を被りやすい品物の範囲は著しく増加している。
【０００３】
[0003]腕時計は偽造を受けやすく、数十年間偽造されてきた。偽造腕時計は、本物の腕時計の一部又はすべての無断の模倣である。スイス税関による推定によれば、約３０００万〜４０００万個の偽造腕時計が毎年流通し始める。コートの中に１ダースのそのような偽造腕時計を入れ、割引価格で提供する売り手が、ニューヨークへの訪問者に街路上で近づくのは普通のことである。偽造製品は、外観から本物に見え、標準以下の構成要素を含むことがある。極めて本物のように見えるが、非常に低品質な偽造腕時計が、２０ドルほどで売られることがある。この問題は、偽造物の品質が絶え間なく向上するとともにますます深刻になりつつある。
【０００４】
[0004]消費財を偽造から保護するために使用されている認証解決策は、多くの場合、特別な材料、コード、又はマーク付け、彫刻などで物品にマーク付けすることに基づく。しかしながら、これらの方法は、対象物の特質及び外観を改変し、これは、多くの場合、対象物のデザイン及び視覚的外観が最も重要である腕時計（及び他の贅沢品）産業界では受け入れることができない。追加として、外側のマークは、模倣及び環境要因（摩耗、汚れなど）にさらされることがある。さらに、これらの方法は、製造又は流通の時の積極的介入と、それに対応して、製造プロセスの重要な変更とを必要とする。
【０００５】
[0005]クォーツ時計は、時を刻むために水晶結晶板共振器によって規制される電子発振器を使用する時計である。この水晶発振器は非常に正確な周波数をもつ信号を作り出し、その結果、クォーツ時計は機械時計よりも少なくとも１桁正確である。本質的な正確さ及び製造の低コストは、クォーツ時計及び腕時計の急増をもたらした。１９８０年代までに、クォーツ技術は、キッチンタイマー、目覚まし時計、銀行大金庫時限錠、及び軍用品の時限信管などの用途を初期の機械式はずみ車可動部からとって代わっており、これは、クォーツ危機として時計製造業に知られている激変である。
【０００６】
[0006]クォーツ計時器は、１９８０年代以来、腕時計及び置時計市場を支配している。水晶結晶板の高いＱ係数及び低い温度係数のために、それらは、最も良好な機械式計時器よりも正確であり、可動部を除いたことが、クォーツ計時器をより堅牢にし、定期保守の必要性を除いている。
【０００７】
[0007]計時器の真正性を評価するとき、その外観だけでなくその内部の内容物に関してもできるだけ多くの情報を有することが望ましい。その上に、真正性を検査するとき計時器を開ける必要がないことが望ましく、その理由は、その作業が、特殊な機器及び手順を必要とし、それが、部品の性能及び／又は保全性（例えば、水密性）に影響を与えることがあり、製造業者の保証を無効にすることがあるからである。
【０００８】
[0008]そのために、計時器を開ける必要なしに、できるだけ非侵入性で信頼できる方法で計時器を認証できることが望ましい。
【発明の概要】
【発明が解決しようとする課題】
【０００９】
[0009]本発明の目的は、非侵入性で信頼できる計時器を認証する方法を提供することである。
【課題を解決するための手段】
【００１０】
[0010]この目的は、独立請求項の主題によって解決される。好ましい実施形態は、従属請求項の主題である。
【００１１】
[0011]本発明の実施形態の態様は、少なくとも１つの水晶発振器及び少なくとも１つのトランスデューサのうちの少なくとも１つを備える計時器に関する。
【００１２】
[0012]本発明の実施形態において、少なくとも１つの水晶発振器は、水晶ベース電子発振器である。
【００１３】
[0013]本発明のさらなる実施形態において、それぞれの水晶ベース電子発振器は、水晶結晶板と、水晶結晶板を駆動するように構成された電子回路とを備える。駆動されると、水晶結晶板は振動電子信号を発生する。
【００１４】
[0014]本発明の追加の実施形態において、少なくとも１つの水晶発振器のうちの少なくとも１つのものの水晶結晶板は、計時器の時間基準として働く共振周波数を有する圧電機械共振器を備える。
【００１５】
[0015]本発明のさらなる実施形態において、計時器は、計時器を駆動する及び／又は動作させるように構成された電子及び／又は電気機械回路をさらに備える。
【００１６】
[0016]本発明の実施形態において、少なくとも１つの水晶発振器及び少なくとも１つのトランスデューサのうちの少なくとも１つは、単一の水晶発振器を備える。
【００１７】
[0017]本発明のさらなる実施形態において、水晶発振器は、計時器の時間管理を実行するように構造化され構成されている。
【００１８】
[0018]本発明の追加の実施形態において、水晶結晶板と、水晶結晶板を駆動する電子回路とは、改変されていない。
【００１９】
[0019]本発明のさらなる実施形態において、少なくとも１つの水晶発振器は、改変された水晶発振器を備え、改変された水晶発振器は、改変された水晶共振器が発生する音響信号に追加情報を符号化するように改変されている。
【００２０】
[0020]本発明の実施形態において、改変された水晶発振器は、改変された水晶結晶板を備える。
【００２１】
[0021]本発明のさらなる実施形態において、改変された水晶発振器は、改変された水晶結晶板、水晶結晶板を駆動するように構成された改変された電子回路、及び計時器を駆動する及び／又は動作させるように構成された改変された電子／電気機械回路のうちの少なくとも１つを備える。
【００２２】
[0022]本発明の追加の実施形態において、改変された水晶発振器は、振幅変調型及び周波数変調型のうちの一方である。
【００２３】
[0023]本発明のさらなる実施形態において、少なくとも１つの水晶発振器及び少なくとも１つのトランスデューサのうちの少なくとも１つは、複数の水晶発振器を備える。
【００２４】
[0024]本発明の実施形態において、複数の水晶発振器は、時間管理目的に専用の第１の水晶発振器と、前記計時器中にあり、時間管理目的に使用されない少なくとも第２の水晶発振器とを備える。
【００２５】
[0025]本発明のさらなる実施形態において、第１の水晶発振器及び少なくとも１つの第２の水晶発振器は各々異なる周波数ドメインを有する。
【００２６】
[0026]本発明の追加の実施形態において、少なくとも１つの第２の水晶発振器は、符号化された信号を一斉送信するように動作可能である。
【００２７】
[0027]本発明のさらなる実施形態において、第１の水晶発振器の周波数ドメインは、少なくとも１つの第２の水晶発振器の周波数ドメインに基づく。
【００２８】
[0028]本発明の実施形態において、少なくとも１つの第２の水晶発振器の周波数ドメインは、第１の水晶発振器の周波数ドメインに基づく。
【００２９】
[0029]本発明のさらなる実施形態において、時間管理目的に専用の第１の水晶発振器と、第１の水晶共振器を駆動する電子回路と、前記計時器中にあり、時間管理目的に使用されない少なくとも１つの第２の水晶発振器は、改変されていない。
【００３０】
[0030]本発明の追加の実施形態において、少なくとも１つの第２の水晶発振器は、符号化された情報を有する音響信号を発するように構造化され配列されている。
【００３１】
[0031]本発明のさらなる実施形態において、共振周波数が検出される１つ又は複数の構成要素は、単一の共振器として働く２つ以上の構成要素を備える。
【００３２】
[0032]本発明の実施形態において、少なくとも１つの水晶発振器及び少なくとも１つのトランスデューサのうちの少なくとも１つは、少なくとも１つの水晶発振器及び少なくとも１つのトランスデューサを備える。
【００３３】
[0033]本発明のさらなる実施形態において、少なくとも１つの水晶発振器及び少なくとも１つのトランスデューサは、水晶発振器及びトランスデューサを備える。
【００３４】
[0034]本発明の追加の実施形態において、少なくとも１つの水晶発振器は、特別な音調を発生するように構造化され配列されている。
【００３５】
[0035]本発明のさらなる実施形態において、計時器はモバイルデバイスに備えられている。
【００３６】
[0036]本発明の実施形態において、計時器は腕時計である。
【００３７】
[0037]本発明のさらなる実施形態において、計時器はモバイルデバイスを含む。
【００３８】
[0038]本発明の実施形態の追加の態様は、計時器を認証する方法に関する。この方法は、計時器によって発せられた音響震動を測定して、電気信号を得るステップと、少なくとも１つのドメインへの前記電気信号の変換を実行するステップと、変換された電気信号から識別情報を抽出するステップと、抽出された情報を少なくとも１つの基準情報と比較するステップと、比較するステップに基づいて前記計時器の真正性を決定するステップとを含む。
【００３９】
[0039]本発明の実施形態において、計時器は、少なくとも１つの水晶発振器及び少なくとも１つのトランスデューサのうちの少なくとも１つを備える。
【００４０】
[0040]本発明のさらなる実施形態において、少なくとも１つの水晶発振器は、時間管理目的に専用の第１の水晶発振器と、前記計時器中にあり、時間管理目的に使用されない少なくとも第２の水晶発振器とを備える。
【００４１】
[0041]本発明の追加の実施形態において、電気信号は、測定された音響震動の大きさの変化を時間の関数として含む大きさ情報を示し、前記電気信号は、計時器の水晶発振器の存在に関連する少なくとも１つの特別な音調を含む。
【００４２】
[0042]本発明のさらなる実施形態において、少なくとも１つのドメインへの前記電気信号の変換を実行するステップは、電気信号を周波数ドメインに変換して、電気信号の電力の変化を周波数の関数として示す周波数ドメイン電力スペクトルを得るステップを含む。
【００４３】
[0043]本発明の実施形態において、この方法は、周波数ドメイン電力スペクトルを処理して、計時器の水晶発振器の存在に関連する少なくとも１つの特別な音調に対応する周波数ドメイン電力スペクトルの少なくとも１つの狭いピークを見えるようにするステップをさらに含む。
【００４４】
[0044]本発明のさらなる実施形態において、この方法は、前記少なくとも１つの狭いピークに対応する少なくとも１つの共振周波数を抽出するステップをさらに含む。
【００４５】
[0045]本発明の追加の実施形態において、抽出された情報を少なくとも１つの基準共振情報と比較するステップは、抽出された少なくとも１つの共振周波数を少なくとも１つの基準共振周波数と比較するステップを含む。
【００４６】
[0046]本発明のさらなる実施形態において、電気信号は水晶発振器の音響信号を表す。
【００４７】
[0047]本発明の実施形態において、電気信号は、水晶発振器の音響信号と、計時器の１つ又は複数の他の要素の音響信号とを表す。
【００４８】
[0048]本発明のさらなる実施形態において、周波数ドメインへの前記電気信号の変換は、フーリエ変換又は高速フーリエ変換を含む。
【００４９】
[0049]本発明の追加の実施形態において、水晶発振器によって発生された音響信号の周波数ドメイン電力スペクトルの主ピークの周波数が、認証目的に使用される。
【００５０】
[0050]本発明のさらなる実施形態において、水晶発振器によって発生された音響信号の周波数ドメイン電力スペクトルの主ピーク及び１つ又は複数のそれほど目立たないピークの周波数が、認証目的に使用される。
【００５１】
[0051]本発明の実施形態において、水晶発振器によって発生された音響信号の周波数ドメイン電力スペクトルの主ピーク、及び１つ又は複数の他の震動生成要素によって発生された音響信号の周波数ドメイン電力スペクトルの１つ又は複数のピークの周波数が、認証目的に使用される。
【００５２】
[0052]本発明のさらなる実施形態において、少なくとも１つの第２の水晶発振器によって発生された音響信号の周波数ドメイン電力スペクトルの主ピークの周波数が、認証目的に使用される。
【００５３】
[0053]本発明の追加の実施形態において、この方法は、前記電気信号を処理して、電気信号に表れた測定音響震動の複数の音響事象のうちの１つ又は複数を減衰させるステップをさらに含む。
【００５４】
[0054]本発明のさらなる実施形態において、電気信号を処理して、前記電気信号の複数の事象を減衰させるステップは、前記電気信号（Ｓ）をサンプリングするステップと、複数のサンプルの絶対値を平均することによって、前記サンプリング済み電気信号（Ｓ）のエンベロープ（Ｅ）を計算するステップと、前記サンプリング済み電気信号（Ｓ）の前記計算されたエンベロープ（Ｅ）で前記サンプリング済み電気信号（Ｓ）を割った比を計算するステップとを含む。
【００５５】
[0055]本発明の実施形態において、周波数ドメイン電力スペクトルを処理して、前記周波数ドメイン電力スペクトルの少なくとも１つの狭いピークを見えるようにするステップは、周波数ドメイン電力スペクトルをフィルタ処理して、周波数ドメイン電力スペクトル内の背景部分を減少させ、鋭いピークを保持するステップを含む。
【００５６】
[0056]本発明のさらなる実施形態において、周波数ドメイン電力スペクトルを処理して、周波数ドメイン電力スペクトルの少なくとも１つの狭いピークを見えるようにするステップは、前記周波数ドメイン電力スペクトルの周波数（Ｆ）ごとに、周波数ドメインへの前記処理された電気信号の前記変換を実行する際に得られた複素数のモジュール（Ｍ（Ｆ））を計算するステップと、前記複素数の前記モジュール（Ｍ（Ｆ））と直前の周波数の複素数のモジュール（Ｍ（Ｆ−１））との間の差の絶対値、及び前記複素数の前記モジュール（Ｍ（Ｆ））と直後の周波数の複素数のモジュール（Ｍ（Ｆ＋１））との間の差の絶対値を、前記複素数の前記モジュール（Ｍ（Ｆ））に掛けるステップとを含む。
【００５７】
[0057]本発明の追加の実施形態において、この方法は、前記計算及び掛け算を所定の回数繰り返すステップと、前記周波数ドメイン電力スペクトルの周波数（Ｆ）ごとに、前記繰り返された計算及び掛け算の結果（Ｖ（Ｆ））の平均を決定するステップとをさらに含む。
【００５８】
[0058]本発明のさらなる実施形態において、この方法は、前記見えるようにされた少なくとも１つの狭いピークの幅を抽出するステップをさらに含む。
【００５９】
[0059]本発明の実施形態において、この方法は、前記見えるようにされた少なくとも１つの狭いピークの相対振幅を抽出するステップをさらに含む。
【００６０】
[0060]本発明のさらなる実施形態において、この方法は、計時器保守が実行されるとき、計時器を再認証するステップをさらに含む。
【００６１】
[0061]本発明の追加の実施形態において、計時器の肯定的認証を決定するための閾値は、計時器の経年数に基づいて構成される。
【００６２】
[0062]本発明のさらなる実施形態において、少なくとも１つのドメインへの前記電気信号の変換を実行するステップは、時間−周波数ドメインへの電気信号の時間−周波数ドメイン変換を実行するステップをさらに含む。
【００６３】
[0063]本発明の実施形態において、少なくとも１つのドメインへの前記電気信号の変換を実行するステップは、時間−周波数ドメインへの前記電気信号の時間−周波数ドメイン変換を実行するステップを含む。
【００６４】
[0064]本発明のさらなる実施形態において、この方法は、電気信号を処理して、識別情報を見えるようにするステップをさらに含む。
【００６５】
[0065]本発明の追加の実施形態において、変換は、フーリエ変換、短時間フーリエ変換、ガボール変換、ウィグナー変換、及びウェーブレット変換のうちの１つを含む。
【００６６】
[0066]本発明のさらなる実施形態において、時間−周波数ドメインへの前記電気信号の時間−周波数ドメイン変換を実行するステップは、電気信号の周波数を時間の関数として示し、抽出するステップは、電気信号の時間−周波数表示における大きさ情報、周波数情報、及び時間情報のうちの少なくとも１つを抽出するステップをさらに含む。
【００６７】
[0067]本発明の実施形態において、この方法は、抽出された大きさ情報、時間情報、及び周波数情報のうちの少なくとも１つを利用して、計時器の独自の識別子を作り出すステップをさらに含む。
【００６８】
[0068]本発明のさらなる実施形態において、この方法は、独自の識別子に基づいて計時器の基準情報を作り出すステップをさらに含み、基準情報は、基準大きさ情報、基準時間情報、及び基準周波数のうちの少なくとも１つを含む。
【００６９】
[0069]本発明の追加の実施形態において、この方法は、少なくとも１つの水晶発振器の周波数を変調して、スペクトルに１組の追加のピークを発生させるステップをさらに含み、１組の追加のピークのうちの１つ又は複数のもののそれぞれの周波数は、認証目的に使用される。
【００７０】
[0070]本発明のさらなる実施形態において、少なくとも１つの水晶発振器の周波数は、時間可変信号で変調され、この方法は、発生された音響信号を復調して、メッセージ信号を回復するステップをさらに含む。
【００７１】
[0071]本発明の実施形態の追加の態様は、計時器を認証する方法に関し、計時器は、少なくとも１つの水晶発振器、及び少なくとも１つのトランスデューサのうちの少なくとも１つを備え、水晶発振器、及び水晶発振器を駆動する電子回路のうちの少なくとも１つは、少なくとも１つの水晶発振器が発生する音響信号に追加情報を符号化するように改変される。この方法は、水晶の共振周波数を変調して、信号周波数スペクトルに１組の追加のピークを発生させるステップと、計時器によって発せられた音響震動を測定して、電気信号を得るステップと、電気信号から識別情報を抽出するステップと、抽出された情報を少なくとも１つの基準共振情報と比較するステップと、比較するステップに基づいて前記計時器の真正性を決定するステップとを含む。
【００７２】
[0072]本発明の実施形態において、１組の追加のピークのうちの１つ又は複数のもののそれぞれの周波数は、認証目的に使用される。
【００７３】
[0073]本発明のさらなる実施形態において、水晶発振器の周波数は、時間可変信号で変調され、この方法は、発生された音響信号を復調して、メッセージ信号を回復するステップをさらに含む。
【００７４】
[0074]本発明の追加の実施形態において、この方法は、抽出された大きさ情報を利用して、計時器の独自の識別子を作り出すステップをさらに含む。
【００７５】
[0075]本発明の実施形態において、方法は、計時器によって発せられた音響震動を測定して、電気信号を得るステップと、あるドメインへの前記電気信号の変換を実行するステップと、変換された電気信号から識別情報を抽出するステップと、抽出された情報を少なくとも１つの基準情報と比較するステップと、比較するステップに基づいて前記計時器の真正性を決定するステップとを含む。
【００７６】
[0076]本発明のさらなる実施形態において、方法は、計時器によって発せられた音響震動を測定して、電気信号を得るステップであり、前記電気信号が、測定された音響震動の大きさの変化を時間の関数として含む大きさ情報を示し、前記電気信号が、計時器の要素の存在に関連する少なくとも１つの特別な音調を含む、測定するステップと、周波数ドメインへの前記電気信号の変換を実行して、電気信号の電力の変化を周波数の関数として示す周波数ドメイン電力スペクトルを得るステップと、周波数ドメイン電力スペクトルを処理して、少なくとも１つの特別な音調に対応する周波数ドメイン電力スペクトルの少なくとも１つの狭いピークを見えるようにするステップと、前記少なくとも１つの狭いピークに対応する少なくとも１つの共振周波数を抽出するステップと、抽出された少なくとも１つの共振周波数を少なくとも１つの基準共振周波数と比較するステップと、比較するステップに基づいて前記計時器の真正性を決定するステップとを含む。
【００７７】
[0077]本発明の追加の実施形態において、方法は、計時器によって発せられた音響震動を測定して、電気信号を得るステップであり、前記電気信号が、測定された音響震動の大きさの変化を時間の関数として含む大きさ情報を示し、前記電気信号が、計時器の水晶発振器の存在に関連する少なくとも１つの特別な音調を含む、測定するステップと、周波数ドメインへの前記電気信号の変換を実行して、電気信号の電力の変化を周波数の関数として示す周波数ドメイン電力スペクトルを得るステップと、周波数ドメイン電力スペクトルを処理して、少なくとも１つの特別な音調に対応する周波数ドメイン電力スペクトルの少なくとも１つの狭いピークを見えるようにするステップと、前記少なくとも１つの狭いピークに対応する少なくとも１つの共振周波数を抽出するステップと、抽出された少なくとも１つの共振周波数を少なくとも１つの基準共振周波数と比較するステップと、比較するステップに基づいて前記計時器の真正性を決定するステップとを含む。
【００７８】
[0078]本発明のさらなる実施形態において、方法は、計時器によって発せられた音響震動を測定して、電気信号を得るステップであり、前記電気信号が、測定された音響震動の大きさの変化を時間の関数として含む大きさ情報を示す、測定するステップと、時間ドメインの電気信号を復調するステップと、復調された電気信号を復号して、復号されたメッセージを見えるようにするステップと、復号されたメッセージを少なくとも１つの基準メッセージと比較するステップと、比較するステップに基づいて前記計時器の真正性を決定するステップとを含む。
【００７９】
[0079]本発明の実施形態において、方法は、計時器によって発せられた音響震動を測定して、電気信号を得るステップであり、前記電気信号が、測定された音響震動の大きさの変化を時間の関数として含む大きさ情報を示し、前記電気信号が、計時器の水晶発振器の存在に関連する少なくとも１つの特別な音調を含む、測定するステップと、時間−周波数ドメインへの前記電気信号の時間−周波数ドメイン変換を実行するステップと、電気信号を処理して識別情報を見えるようにするステップと、識別情報を少なくとも１つの基準情報と比較するステップと、比較するステップに基づいて前記計時器の真正性を決定するステップとを含む。
【００８０】
[0080]本発明のさらなる実施形態において、方法は、検出信号を送るステップと、検出信号に応答して、計時器によって発せられた音響震動を測定して、電気信号を得るステップであり、前記電気信号が、測定された音響震動の大きさの変化を時間の関数として含む大きさ情報を示し、前記電気信号が、計時器のトランスデューサの存在に関連する少なくとも１つの特別な音調を含む、測定するステップと、電気信号を復号して、復号されたメッセージを見えるようにするステップと、復号されたメッセージを少なくとも１つの基準メッセージと比較するステップと、比較するステップに基づいて前記計時器の真正性を決定するステップとを含む。
【００８１】
[0081]本発明の実施形態の追加の態様は、少なくとも２つの水晶発振器を含む計時器に関し、第１の水晶発振器は、時間管理目的に専用であり、少なくとも第２の水晶発振器は、前記計時器中にあり、時間管理目的に使用されない。
【００８２】
[0082]本発明の実施形態の追加の態様は、計時器の時間基準として働く共振周波数を有する水晶結晶板圧電機械共振器と、水晶結晶板を駆動し、振動電子信号を発生するように構成された電子回路とを有する水晶ベース電子発振器を備える少なくとも１つの水晶発振器、及び少なくとも１つのトランスデューサのうちの少なくとも１つを備える計時器に関する。
【００８３】
[0083]本発明の実施形態において、少なくとも１つの水晶発振器及び少なくとも１つのトランスデューサのうちの少なくとも１つは、識別信号を発するように構成される。
【００８４】
[0084]本発明のさらなる実施形態において、計時器は、計時器を駆動する及び／又は動作させるように構成された電子及び／又は電気機械回路をさらに備える。
【００８５】
[0085]本発明の実施形態の追加の態様は、計時器の時間基準として働く共振周波数を有する水晶結晶板圧電機械共振器と、水晶結晶板を駆動し、振動電子信号を発生するように構成された電子回路とを有する水晶ベース電子発振器を備える少なくとも１つの水晶発振器、及び少なくとも１つのトランスデューサのうちの少なくとも１つを備えるデバイスに関する。少なくとも１つの水晶発振器及び少なくとも１つのトランスデューサのうちの少なくとも１つは、識別信号を発するように構成される。
【００８６】
[0086]本発明のさらなる実施形態において、デバイスは、計時器、腕時計、モバイルデバイス、及びタブレットのうちの少なくとも１つを含む。
【００８７】
[0087]本発明並びに本発明の他の目的及びさらなる特徴のより完全な理解のために、以下の例示的で非限定の図面と一緒に本発明の以下の詳細な説明を参照することができる。
【図面の簡単な説明】
【００８８】
【図１Ａ】本発明の実施形態による同じモデル及び製造業者の５つの異なる腕時計の例示的な正規化スペクトルを示す図である。
【図１Ｂ】本発明の実施形態による異なる時間に取られた同じ腕時計の例示的な正規化スペクトルを、見やすいようにスペクトルを垂直にオフセットした状態で示している図である。
【図２】本発明の実施形態による異なる時間に取られた同じ腕時計の例示的な正規化スペクトルを、見やすいようにスペクトルを垂直にオフセットした状態で示している図である。
【図３】本発明の実施形態による同じ構造及びモデルの３つの個々の腕時計で測定された信号スペクトルの例示的で非限定の概略を示す図である。
【図４】本発明の実施形態の態様による、図３のスペクトルの区別用の特徴の例示的で非限定の詳細を示す図である。
【図５】本発明の実施形態による、約３２７６８．５Ｈｚの固有周波数が１Ｈｚ（下部）、２Ｈｚ（中間）、及び４Ｈｚ（上部）で変調された状態の水晶発振器の例示的なスペクトルを示す図である。
【図６】本発明の実施形態による、連続する５秒間隔に、それぞれ、１Ｈｚ、２Ｈｚ  ３Ｈｚ、４Ｈｚ、５Ｈｚ、４Ｈｚ、３Ｈｚ、２Ｈｚ、１Ｈｚで変調された、図５のものと同じ水晶発振器の例示的な復調信号を示す図である。
【図７】本発明の実施形態による、約３２７６８．３９Ｈｚの固有周波数ｆ０をもつ水晶発振器と、それぞれ周波数ｆ０−１００Ｈｚ及びｆ０＋１００Ｈｚの２つの正弦波で励振される圧電トランスデューサとを組み込んでいるデバイスの例示的なスペクトルを示す図である。
【図８】本発明の実施形態による同じモデル及び製造業者の３つのモバイルフォンの例示的な正規化スペクトルを示す図である。
【図９】本発明の実施形態による異なる時間に取られた同じモバイルフォンの例示的な正規化スペクトルを示す図である。
【図１０】本発明の実施形態による、プロセスを管理するための例示的な環境を示す図である。
【図１１】本発明の実施形態の態様を実行するための例示的な流れを示す図である。
【図１２】本発明の実施形態の態様を実行するための例示的な流れを示す図である。
【図１３】本発明の実施形態の態様を実行するための例示的な流れを示す図である。
【発明を実施するための形態】
【００８９】
[0100]参照番号は、図面の様々な図の全体にわたって本発明の同じ又は均等な部分を参照する。
【００９０】
[0101]以下の説明において、本発明の様々な実施形態は添付図面に対して説明されることになる。
【００９１】
[0102]本明細書に示す詳細は、例であり、単に本発明の実施形態の例示的な議論を目的としており、本発明の原理及び概念の態様の最も有用で容易に理解される説明となると考えられるものを提供するために提示される。この点に関して、本発明を基本的に理解するのに必要である以上に詳しく本発明の構造の詳細を示す試みはなされておらず、図面とともに行われる説明は、本発明の形態がどのように実際に具現されるかを当業者に明らかにする。
【００９２】
[0103]本明細書で使用する単数形「１つの（ａ）」、「１つの（ａｎ）」、及び「その（ｔｈｅ）」は、文脈が明確に特に指示していない限り、複数の参照を含む。例えば、「磁性材料」への言及は、さらに、特別に除外されない限り、１つ又は複数の磁性材料の混合物が存在し得ることを意味することになる。
【００９３】
[0104]特に示された場合を除いて、明細書及び特許請求の範囲に使用されている周波数、時間などの物理量を表すすべての数値は、すべての場合に「約（ａｂｏｕｔ）」という用語によって修飾されているとして理解されたい。それに応じて、そうでないと指示されない限り、明細書及び特許請求の範囲に記載されている数値パラメータは、本発明によって得られるように努められる所望の性質に応じて変り得る近似値である。少なくとも、及び特許請求の範囲の範囲への均等物の適用を限定する試みと見なすのではなく、各数値パラメータは、有効桁数及び通常の丸め法に照らして解釈されるべきである。
【００９４】
[0105]追加として、この明細書内の数値範囲の列挙は、その範囲内のすべての数値及び範囲の開示であると見なされる。例えば、範囲が約１から約５０である場合、例えば、１、７、３４、４６．１、２３．７、又は範囲内の任意の他の値若しくは範囲を含むと見なされる。
【００９５】
[0106]本明細書に開示される様々な実施形態は、そうでないと特別に述べられない限り、別々に及び様々な組合せで使用することができる。
【００９６】
[0107]クォーツ時計は、時を刻むために水晶結晶板によって規制される電子発振器を使用する時計である。この水晶発振器は非常に正確な周波数をもつ信号を作り出す。一般に、ある形態のデジタル論理回路は、この信号のサイクルを計数し、通常、時、分、及び秒の単位で、数値時間表示を行う。
【００９７】
[0108]水晶には、温度が変動したとき、サイズがほとんど変化しないという利点がある。例えば、溶融水晶（ｆｕｓｅｄ  ｑｕａｒｔｚ）は、多くの場合、サイズに基づく水晶板の共振周波数が著しくは上昇又は下降しないので、温度とともに形状を変化させてはならない実験室用機器に使用される。同様に、クォーツ時計は、その共振器が形状を変化させないので、温度が変化したとき比較的正確なままであることになる。
【００９８】
[0109]結晶が振動する周波数は、結晶の形状、サイズ、及び水晶がカットされた結晶面によって決まる。電極が配置される位置もやはりチューニングをわずかに変化させることがある。結晶が正確に整形され位置づけられた場合、結晶は所望の周波数で振動することになる。例えば、その周波数で駆動された１５ビット２値デジタルカウンタは、毎秒１回オーバーフローし、デジタルパルスを毎秒１回作り出すことになる。パルス／秒の出力を使用して、多くの種類の時計を駆動することができる。
【００９９】
[0110]時計結晶の結晶面及びチューニングは、人の手首上の腕時計の内部の標準温度の２５℃で最良に動作するように設計することができる。正しく設計された腕時計ケースは、人体の安定した温度を使用して最も正確な温度範囲に結晶を保持する好都合な結晶オーブンを形成する。
【０１００】
[0111]本発明の実施形態において、水晶結晶板共振器は、一般に、ほぼ３００００Ｈｚと４００００Ｈｚとの間の（例えば、３２７６８Ｈｚの）特別な周波数で震動するようにレーザトリミングされた又は高精度にラッピングされた小さい音叉の形状のものとすることができる。ほとんどの時計では、共振器は、例えば約４ｍｍ長の小さい缶又は平坦なパッケージ中に存在することができる。ほぼ３００００Ｈｚと４００００Ｈｚとの間の周波数の範囲は、腕時計のための低周波数結晶の大きい物理的サイズと、腕時計バッテリの寿命を減少させる高周波数結晶の大きい電流ドレインとの間の妥協を表す。
【０１０１】
[0112]本発明の実施形態の態様によれば、いくつかの電気作動デバイスは、その内部の内容物に特有の震動を発することが見いだされている。電気作動デバイスの注目すべき例には、水晶腕時計及びモバイルデバイス（例えば、モバイル電話）が含まれる。モバイル電話は、例えば、適切な時間を維持するためにマイクロプロセッサに依存するのでなく、代わりに、クォーツ時計を利用する。発せられた震動は、デバイスを開けることなく測定することができ、本発明の実施形態によれば、震動の特性を認証及び／又は識別の目的に使用することができる。さらに、本発明の実施形態によれば、デバイスは、特定の情報（例えば、識別子）を符号化している震動を発するように合わせることができる。
【０１０２】
単一の既存の水晶
[0113]本発明の実施形態では、水晶は、特別な機能（例えば、時間管理目的のための）を実行するための物品（例えば、計時器）に既に存在しており既存である。本発明の実施形態の態様によれば、既に存在する水晶は、さらに、物品に識別子（例えば、独自の識別子）を与えるために利用することができる。
【０１０３】
非改変デバイス
[0114]本発明の実施形態の態様によれば、水晶及び／又は水晶を駆動する電子回路は改変されない（例えば、水晶及び／又は水晶を駆動する電子回路は、現状のまま採用される）。
【０１０４】
主ピーク周波数
[0115]本発明の実施形態の態様によれば、水晶発振器によって発生された音響信号の周波数ドメイン電力スペクトルの主ピークの周波数を、識別及び／又は認証目的に使用することができる。
【０１０５】
[0116]本発明の実施形態では、トランスデューサは、検査下の物品の震動を測定可能な信号に変換するために使用され、次に、測定可能な信号は、さらに、処理され、記録され、分析され、記憶され、及び／又は基準信号と比較される。
【０１０６】
[0117]例示のトランスデューサは、マイクロホン、加速度計、又は震動計を含み、それらは、震動を電気信号に変換するように動作することができる。圧電タイプの接触マイクロホンは、この目的に十分に適合しており、その理由は、この種のデバイスが、安価であり、目標震動に敏感であり、空中音響環境（例えば、周囲）雑音の影響を受けないことが可能であるからである。ひとたび信号が捕捉されれば、信号を処理して、情報が信号から抽出される。
【０１０７】
[0118]認証されるべき計時器によって発せられた音響震動が測定された後、本発明の実施形態では、得られた電気信号を処理して、電気信号中の複数の音響事象を減衰させることができる。本発明の例示的で非限定の実施形態によれば、電気信号中の複数の事象のこの減衰は、以下のステップを実行することによって達成することができる。最初に、電気信号Ｓを所定のサンプリング周波数、例えば、９６ｋＨｚでサンプリングして、デジタル信号、例えば、１６ビット信号を得る。得られたサンプリング済み信号のエンベロープＥが、複数のサンプル、例えば、最後の２００サンプルの絶対値を平均することによって計算される。次に、サンプリング済み電気信号Ｓをサンプリング済み電気信号Ｓの計算されたエンベロープＥで割った比Ａが計算される。この比Ａ＝Ｓ／Ｅの計算により、大きい震動が減衰され、それによって、静寂ゾーンの間の弱い震動が見えるようになる。
【０１０８】
[0119]本発明の実施形態において、電気信号中の複数の音響事象を減衰させるために電気信号を処理した後、さらなる処理は、例えば、アナログ−デジタル変換、増幅、フィルタ処理（アナログ／デジタル）、及び／又は時間ドメイン、周波数ドメイン、及び／又は時間−周波数ドメインへの、及び／又は時間ドメイン、周波数ドメイン、及び／又は時間−周波数ドメインからの数学的変換を含むことができる。
【０１０９】
[0120]例えば、実施形態において、周波数ドメインへの処理された電気信号の変換を実行して、処理された電気信号の電力の変化を周波数の関数として示す周波数ドメイン電力スペクトルが得られる。本発明の好ましい実施形態によれば、周波数ドメイン変換は、フーリエ変換、好ましくは、高速フーリエ変換である。しかしながら、他の周波数ドメイン変換を利用することもできる。
【０１１０】
[0121]電気信号中の音響事象の減衰に関して上記した例示的な値に戻ると、比Ａの信号の高速フーリエ変換が、ある数の（例えば、多数の）連続した値に対して実行される。非限定の例示的な実施形態では、１３０ｋＨｚでサンプリングされた比Ａの信号の高速フーリエ変換は、その信号の６５５３６０個の連続した値に実行された。この分析により、０．２Ｈｚの分解能で６５ｋＨｚまでの周波数ドメインスペクトルを得ることが可能になる。一般に、これにより示された値は、単に例示目的が意図されており、本発明の原理を限定していないことが理解されなければならない。さらに、例えば、２秒から２分までの範囲とすることができる様々な分析期間を選択することができる。比Ａの信号の極度に精密な周波数分析を実行することができ、それにより、容易に認識できるピークをスペクトルが有することができるようになることを当業者は直ちに理解するであろう。
【０１１１】
[0122]周波数ドメインへの処理された電気信号の変換を実行して、周波数ドメイン電力スペクトルを得た後、周波数ドメイン電力スペクトルを処理して、周波数ドメイン電力スペクトルの１つの狭いピーク（又は複数の狭いピーク）を見えるようにする。この狭いピークは、認証されるべき計時器内の水晶の共振周波数に対応する。複数の狭いピークは、認証されるべき計時器内の１つ又は複数の機械的部品の共振周波数をさらに含むことができる。本発明の実施形態は、水晶（及び、実施形態では、機械的部品）の共振周波数に関する情報を抽出する方法を提示し、得られた共振周波数情報は、認証目的に使用することができる。
【０１１２】
[0123]本発明の一実施形態によれば、周波数ドメイン電力スペクトルの少なくとも１つの狭いピークを見えるようにするために周波数ドメイン電力スペクトルを処理することには、例えば、周波数に関してスペクトルの微分を実行することによって、又はスペクトルのウェーブレット雑音除去を行うことによって背景雑音信号を減少させ、鋭いピークを保持するように周波数ドメイン電力スペクトルをフィルタ処理することが含まれる。
【０１１３】
[0124]別の実施形態によれば、周波数ドメイン電力スペクトルを処理して、周波数ドメイン電力スペクトルの少なくとも１つの狭いピークを見えるようにする処理ステップを実行する高速で都合のよい方法は、以下のステップを含む。最初に、周波数ドメイン電力スペクトルの周波数Ｆごとに、周波数ドメインへの処理された電気信号の変換を実行する際に得られた複素数のモジュールＭ（Ｆ）が計算される。次に、周波数での二重微分（ｄｏｕｂｌｅ  ｄｅｒｉｖａｔｉｖｅ）をＭ（Ｆ）に掛けた値Ｖ（Ｆ）が計算される。この掛け算により、周波数ドメイン電力スペクトルに狭いピーク（複数可）を見えるようにすることができるようになり、それにより、水晶の共振周波数が見えるようになる。複素数のモジュールＭ（Ｆ）は、複素数のモジュールＭ（Ｆ）と直前の周波数（Ｆ−１）の複素数のモジュールＭ（Ｆ−１）との間の差の絶対値が掛けられる。得られた数は、さらに、周波数Ｆの複素数のモジュールＭ（Ｆ）と直後の周波数（Ｆ＋１）の複素数のモジュールＭ（Ｆ＋１）との間の差の絶対値が掛けられる。この計算は、以下の式（１）によって要約され、
Ｖ（Ｆ）＝Ｍ（Ｆ）×ａｂｓ（Ｍ（Ｆ）−Ｍ（Ｆ−１））×ａｂｓ（Ｍ（Ｆ）−Ｍ（Ｆ＋１））  （１）
ここで、ａｂｓ（Ｘ）は、Ｘの絶対値を表す。
【０１１４】
[0125]本発明の一実施形態によれば、周波数ドメイン電力スペクトルの識別された狭いピークに対応する共振周波数（又は複数のそのような共振周波数）が抽出される。実施形態において、認証されるべき計時器の測定された音響震動の周波数−電力スペクトルは、水晶及び１つ又は複数の機械構成要素に起因するいくつかの周波数での電力スペクトル表示にいくつかのピークを見えるようにすることができる。
【０１１５】
[0126]例示的で非限定の実施形態では、８つのピークを電力スペクトルにおいて識別することができ、８つのピークの電力スペクトル値は、対数目盛で６００よりも大きい。電力スペクトルのこれらのピークは周波数ｆ０’からｆ７で識別することができ、周波数ｆ０’からｆ７は０ｋＨｚと約４０ｋＨｚとの間の範囲に含まれる。これらの値は、単に例示的な目的で与えられ、限定するものでないことが留意されなければならない。特に、たとえ電力スペクトルのピークを識別するために６００に設定された閾値の特定の例が与えられたとしても、周波数情報として望まれる周波数ピークの量に応じて、別の閾値を設定することができることを当業者は直ちに理解するであろう。例えば、閾値は１０００に設定することができ、その結果、少数のピークのみが識別され得る。
【０１１６】
[0127]認証されるべき計時器の測定した音響震動の周波数ドメイン電力スペクトルのピークに対応するそれぞれの周波数ｆ０’からｆ７は、周波数ドメイン電力スペクトルから抽出することができる。
【０１１７】
[0128]次に、周波数ドメイン電力スペクトルにおける識別されたピークの１つ又は複数の抽出された共振周波数は、１つ又は複数の基準共振周波数と比較される。基準共振周波数は、以前に記憶されており、特定の計時器モデル（又は個々の物品）に上述の方法ステップを実行したときに得られた値に対応する。計時器モデル（又は個々の物品）の共振周波数値を記憶することによって、基準共振周波数情報は、記憶され、認証されるべき計時器との比較に使用することができる。比較結果は、認証されるべき計時器の真正性に関する情報を与える。
【０１１８】
[0129]本発明の精度の信頼性及び程度は、同一モデルの計時器間の差さえも識別することが可能であるようなものであることが、本発明の発明者等によって観察された。実際、手製で製造された計時器は独自であり、その結果、同一モデルの２つの計時器は互いに異なっており、差は一目したところほんのわずかである。本発明で強調している原理を同じシリーズ及び同じ会社からの異なる計時器に適用するとき、対応する音響測定値は異なっており、それぞれの計時器の指紋を特徴づける抽出された関連するそれぞれの周波数情報は異なることが見て分かる。それ故に、識別子は、計時器を開ける必要なしに計時器を明確に定めることができる。
【０１１９】
[0130]本発明の一実施形態によれば、周波数ドメイン電力スペクトルの狭いピークを見えるようにするために処理ステップが繰り返され、周波数ドメイン電力スペクトルの周波数Ｆごとに、繰り返された計算及び掛け算のステップの結果Ｖ（Ｆ）の平均が計算される。次に、この平均値はグラフ上に表され、複数の狭いピークを識別することができる。本発明の実施形態に関して説明している方法ステップを実行することによって、音響事象間の静寂ゾーンに、認証されるべき計時器によって発せられた音響震動の寄与が、いわば、強調表示されるか又は「増幅される」。他方では、大きい音響事象の寄与は、本発明の実施形態に従って電気信号を処理することによって減衰される。それ故に、本発明の実施形態によるステップを実行することによって、認証されるべき計時器内の機械的部品の音響震動に対応する明確に認識できる狭いピークを抽出することができる周波数ドメイン電力スペクトルが得られる。これらの音響震動は、事象又はサブ事象の間に起こる大きい音響事象と比較すると比較的弱いが、これらの事象又はサブ事象と比較して比較的永続きしている。
【０１２０】
[0131]本発明に従って計時器を認証する方法の一実施形態の変形によれば、認証されるべき計時器の音響震動を測定することによって得られた電気信号中の複数の事象を減衰させるために電気信号を処理するステップは、別の処理するステップと取り替えることができる。実際、大きい音響事象を減衰させる別の可能性は、電気信号をその平均信号振幅で割ることであり、ここで、平均振幅は、信号の絶対値を取り出し、それを低域フィルタでフィルタ処理することによって見いだされる。別の可能性は、電気信号の平均信号振幅が所与の閾値よりも大きい場合は必ず電気信号にゼロを掛けることである。最後に、さらなる別の可能性は、音響事象の始まりの後の所与の期間、電気信号にゼロを掛けることである。
【０１２１】
[0132]本発明に従って計時器を認証する方法の一実施形態の別の変形によれば、認証されるべき計時器によって発せられる音響震動の時間−周波数ドメインへの時間−周波数変換を、上述のような周波数ドメイン変換の代わりに使用することができる。変換された信号に存在している周波数に関する情報のみを与える周波数ドメインへの変換と異なり、時間−周波数表示は、どの周波数がどの時間に存在していたかに関する情報を与える。
【０１２２】
[0133]この変形によれば、使用されるべき時間−周波数変換は、当業者にとって利用可能であり且つ知られているいくつかの時間−周波数変換の中の１つとすることができる。特に、単に少数の可能な変換を挙げると、時間−周波数表示への変換は、窓フーリエ変換及びウェーブレット変換の一方とすることができる。
【０１２３】
[0134]ウェーブレット変換は、例えば、Ｃ．  Ｔｏｒｒｅｎｃｅ及びＧ．Ｐ．  Ｃｏｍｐｏ、Ｂｕｌｌｅｔｉｎ  ｏｆ  ｔｈｅ  Ａｍｅｒｉｃａｎ  Ｍｅｔｅｏｒｏｌｏｇｉｃａｌ  Ｓｏｃｉｅｔｙ、７９、１９９８年に記載されている。連続ウェーブレット変換は、時間ドメイン信号ｓ（ｔ）、認証されるべき計時器によって発せられた測定音響震動の電気信号、測定音響震動の大きさの変化を時間の関数として示す電気信号を取り出し、この時間ドメイン信号を時間−周波数表示Ｗ（ｆ、ｔ）に変換し、それは、以下の式（２）で定義され、
【数１】
2016536595.tif 000002
ここで、
Ψはウェーブレット関数（選ぶべきいくつかのタイプがある）であり、
ｃは選ばれたウェーブレット関数によって決まる定数である。
【０１２４】
[0135]認証されるべき計時器によって発せられた音響震動を測定することによって得られた電気信号の時間−周波数表示から得られる時間−周波数情報を使用することによって、計時器の真正性に関する情報を引き出すことができる。そうするために、時間−周波数情報が時間−周波数表示から抽出され、計時器モデルに関して以前に記憶された基準時間−周波数情報と比較される。認証されるべき計時器に対して抽出された時間−周波数情報を計時器モデルの基準時間−周波数情報と比較することによって、計時器が真正であるかないかを引き出すことができる。
【０１２５】
[0136]１つの例示的な実施形態では、トランスデューサは、Ｗｉｔｓｃｈｉ  Ｅｌｅｃｔｒｏｎｉｃ，  Ｌｔｄが供給しているスタンドマイクロホンモデル１３．１７２０である。マイクロホンからの信号は、サウンドカードを使用して１６ビット、９６ｋＨｚでサンプリングされ、信号の約４５秒の長さがデジタル形態で記録される。次に、デジタル信号は、高速フーリエ変換アルゴリズムを使用して時間ドメインにさらに変換される。
【０１２６】
[0137]図１Ａは、本発明の実施形態による同じモデル及び製造業者の５つの異なる腕時計の例示的な正規化スペクトルを示す。図１Ａに示すように、表示されたスペクトルの各々は３７７７０Ｈｚのまわりに目立つピークを有すること、しかし、さらに、ピークの各々がわずかに異なる周波数を有することが明らかである。図１Ａは、明確に認識できる狭いピークを抽出することができ、それにより、異なる計時器を一意的に識別することが可能になることを示している。それぞれの計時器で識別されたピークは、他の計時器で識別されたピークと異なり、それによって、それらを互いに見分けることが可能になることは明らかである。
【０１２７】
[0138]本発明の実施形態の態様によれば、第１の情報（すなわち、ほぼ３７７７０Ｈｚのまわりの目立つピーク）は、試験される腕時計のすべてがほぼ３２７６９．５〜３２７７０．５Ｈｚの範囲にピークを表示するということに基づいて腕時計の包括的認証試験に使用することができる。本発明の実施形態の態様によれば、同じ手法が、所与のクラス（例えば、モデル、製造業者、タイプなど）に由来する腕時計のすべてに使用され得る。
【０１２８】
[0139]本発明の実施形態の態様によれば、第２の情報（すなわち、ピークの各々のわずかに異なる周波数）が、所与の個々が特別な周波数にピークを有すると予測されることに基づいて個々の腕時計を認証するのに使用され得る。それ故に、異なる周波数にピークを有する同じシリアル番号の偽造物は、そういうものとして直ちに識別され、真正物品として不適格であると見なされることになる。
【０１２９】
[0140]本発明の実施形態において、ピークの位置は、中心周波数、ピーク周波数、及び／又は重み付けされた周波数によって都合よく明確に定めることができる。追加として、ピークの位置は、当業者に知られている他の方法を使用して、例えば、適切な関数（ローレンツィアン、ガウシャンなど）のデータへの最小二乗フィッティングなどによって都合よく明確に定めることができる。
【０１３０】
[0141]与えられた例では、周波数ドメインのピークはかなり鋭く、信号対雑音比はかなり高い。これらの特徴は両方とも、ピークの位置を突き止めることができる精度（１／１００Ｈｚまで下がった、又はそれよりも良好な）に好ましい影響を及ぼす。これは、次には、測定値の区別力に好ましい影響を及ぼす。
【０１３１】
[0142]図１Ｂは、本発明の実施形態による異なる時間に取られた同じ腕時計の例示的な正規化スペクトルを示す。図１Ｂに示すように、スペクトルは、見やすいように垂直にオフセットされている。図１Ｂにおいて同じ腕時計の繰返し測定で示されるように、ピーク位置は、やはり、かなり安定しており、再現性よく測定することができる。周波数ピークは、すべての測定で同じ位置に一貫して信頼性高く見いだされている。
【０１３２】
[0143]水晶が時間管理目的に使用されるとき、例示的で非限定の実施形態では、水晶の特別な周波数はほぼ３００００Ｈｚ〜４００００Ｈｚに及ぶことができる。したがって、実施形態において、異なる物品は各々物品の識別子として働くように異なる特別なピーク周波数を有することができる。しかしながら、いくつかの物品を区別するのにわずかに１００００Ｈｚの全周波数範囲であり得るので、物品の総数が多い（例えば、１００００００個）場合、１００００Ｈｚの範囲は、既存の水晶のピーク周波数にのみ基づいて物品の各々に対して独自の識別子を実現するのに、十分なスペクトルが供給されないことがあると発明者等は想定している。そのため、本発明の実施形態の態様によれば、物品の主ピーク周波数は、より高いレベルの識別及び／又は認証を物品に与えるために、物品の追加情報と組み合わせることができる。
【０１３３】
主要で且つそれほど目立たないピーク周波数
[0144]本発明の追加の実施形態では、水晶によって発生された音響信号のスペクトルのそれほど目立たないピークを、スペクトルの主ピークと一緒に使用することができる。すなわち、水晶は、主要ドメイン及び他のより小さいドメインで周波数を発生することができる。本発明の実施形態の態様によれば、音響信号のスペクトルの主ピークと、１つ又は複数のそれほど目立たないピークとの両方を利用することによって、物品（例えば、計時器）から得られる区別情報の量を増加させ、それにより、より高いレベルの識別及び／又は認証をもたらすことができる。
【０１３４】
[0145]例えば、図１Ａに示すように、計時器の各々は、互いに区別できる追加の（例えば、それほど目立たない）周波数ピークを発生する。そのため、音響信号のスペクトルの主ピークと、１つ又は複数のそれほど目立たないピークとの両方を利用することによって、物品（例えば、計時器）から得られる区別情報の量を増加させ、それにより、より高いレベルの識別及び／又は認証が物品に与えられる。
【０１３５】
主ピーク周波数及び他の音響信号
[0146]本発明の実施形態のさらなる態様によれば、物品によって発生された他の音響信号を分析して、区別情報の量を増加させることができる。例えば、実施形態において、計時器の１つ又は複数の機械構成要素、例えば、腕時計の針を駆動するモータによって発生される震動、針が動くときに発せられるカチカチという雑音、又は物品によって生成される任意の他の震動などを測定し、主ピーク周波数と一緒に使用して、より高いレベルの識別及び／又は認証を物品に与えることができる。
【０１３６】
[0147]上記のように、複数の狭いピークは、認証されるべき計時器内の１つ又は複数の機械的部品の共振周波数をさらに含むことができる。例示的な実施形態では、水晶自体以外のデバイスの部品から生じる測定された音響信号のスペクトルの追加の周波数が考慮に入れられる。腕時計の場合には、これらは、針を駆動するモータによって発生される震動と、針が動くときに発せられるカチカチという雑音（例えば、「カッチンカッチン」）と、腕時計の機能に関連する他の動作とを含むことができる。本発明の実施形態において、水晶及び１つ又は複数の機械的部品の共振周波数に関する情報が抽出され、組み合わされた共振周波数情報が認証及び／又は識別目的に使用され得る。
【０１３７】
[0148]本発明の実施形態の態様によれば、組み合わされた共振周波数情報を利用することによって、物品（例えば、計時器）から得られる区別情報の量を増加させ、それにより、より高いレベルの識別及び／又は認証をもたらすことができる。
【０１３８】
[0149]図２は、本発明の実施形態による同じ製造元及びモデルの３つの個々の腕時計（１）、（２）、及び（３）で測定された信号スペクトルの例示的で非限定の概略を示す。腕時計ごとに、異なる時間に取られた２つの測定値が、測定の再現性を示すために示されている。本発明の実施形態の態様をより明確に示すために、スペクトルは、見やすいように垂直にオフセットされている。
【０１３９】
[0150]本発明の実施形態の態様によれば、信号は、ある特徴をより少なく抑制し、他の特徴を増強するためにスペクトルを抽出する前に事前処理することができる。例えば、図３は、図２に示した信号を事前処理して、例えば針の動きに関連するより大きい音響を抑制し、針が動いているときの比較的短い時間間隔の中間の、針が動いていないときの比較的長い間隔から主要な寄与が生じるので、針の動作が完了した後に（例えば「静寂ゾーン」スペクトルに）残っている弱い雑音を増強するときに得られたスペクトルの概略を示す。
【０１４０】
[0151]図４は、本発明の実施形態の態様による、図３に表された２つの計時器（１）、（２）、及び（３）で得られたそれぞれの周波数ドメイン電力スペクトルの一部に基づいた図３のスペクトルの区別用の特徴の例示的で非限定の詳細を示す。
【０１４１】
[0152]図２〜４は、明確に認識できる狭いピークを抽出することができ、それにより、異なる計時器を一意的に識別することが可能になることを示している。計時器（１）に対して識別されるピークは、計時器（２）及び（３）に対して識別されるピークと異なり、計時器（２）及び（３）は互いに異なり、それによって、計時器の各々を互いに見分けることが可能になることは明らかである。
【０１４２】
改変デバイス
[0153]本発明の追加の実施形態では、水晶及び／又は水晶を駆動する電子回路は、水晶が発生する音響信号に追加情報を符号化するように改変することができる。
【０１４３】
追加のピークの組を発生するように変調された水晶振動
[0154]本発明の態様によれば、水晶の振動を変調（例えば、振幅変調及び／又は周波数変調）して、周波数スペクトルに１組の追加のピークを発生させることができる。これらの追加のピークのそれぞれの周波数は、認証及び／又は識別の目的に使用することができる。実施形態において、例えば、これらの追加のピークの周波数は、物品のシリアル番号に連結させることができ、その結果、物品を認証することができる。
【０１４４】
[0155]例えば、本発明の一実施形態では、デバイスは、例えば、識別子として使用することができる特定の情報を符号化する震動を発するように合わせることができる。例示的な実施形態では、水晶発振器の周波数は、変調信号ν（ｔ）を用いて電子回路によって固有周波数のまわりに変調することができる。前の例と同じマイクロホン及びサウンドカードを使用して、発生された震動に対応する信号Ｓｏｕｔ（ｔ）を取得することができる。この震動及び対応する信号Ｓｏｕｔ（ｔ）は、変調信号ν（ｔ）を符号化し、変調信号ν（ｔ）は、当業者に知られているような適切な信号処理で回復することができる。
【０１４５】
[0156]図５は、水晶発振器の例示的なスペクトル５００を示し、水晶の主要周波数を変調して、周波数スペクトルに１組の追加のピークを発生している。例えば、図５に示すように、水晶発振器は、約３２７６８．５Ｈｚの固有周波数５１０を有し、固有周波数５１０は、本発明の実施形態によれば１Ｈｚ（下部）、２Ｈｚ（中央）、及び４Ｈｚ（上部）で変調されて、追加のピーク５１５が与えられている。図５に示すように、変調信号ν（ｔ）としてそれぞれ１、２、及び４Ｈｚの正弦波を使用し、信号Ｓｏｕｔ（ｔ）のフーリエ変換を使用して、３つの結果が得られる。非限定の例において、３つの異なるスペクトルは、それぞれ、数値１、２、及び４を符号化するように明確に定めることができる。実施形態において、例えば、これらの追加のピークの周波数は、物品のシリアル番号に連結させることができ、その結果、物品を認証することができる。
【０１４６】
時間可変信号で変調された水晶振動
[0157]本発明の実施形態の態様によれば、水晶の振動は、時間可変信号（例えば、無線伝送におけるような）で変調することができる（例えば振幅変調及び／又は周波数変調）。次に、発生された信号を復調して、変調信号を回復することができる。
【０１４７】
[0158]図６は、本発明の実施形態による、連続する５秒間隔に、それぞれ、１Ｈｚ、２Ｈｚ、３Ｈｚ、４Ｈｚ、５Ｈｚ、４Ｈｚ、３Ｈｚ、２Ｈｚ、１Ｈｚで変調された、図５のものと同じ水晶発振器の例示的な復調信号６００を示す。図６は、ほぼ５秒の長さの連続する時間間隔６０５、６１０、６１５、６２０、６２５、６３０、６３５、６４０、６４５の間、変調信号ν（ｔ）として、それぞれ、１、２、３、４、５、４、３、２、及び１Ｈｚの正弦波を使用して得られた結果を示す。次に、信号Ｓｏｕｔ（ｔ）は、本発明の実施形態の態様に従って発振器の固有周波数（３２７６８．５１７８Ｈｚ）において信号Ｓｏｕｔ（ｔ）に正弦波を掛けて数値的に復調される。非限定の例では、信号は、数列１２３４５４３２１を符号化するように明確に定めることができる。
【０１４８】
水晶及び／又は電子回路を改変する他の方式
[0159]本発明のさらなる実施形態によれば、水晶及び／又は水晶を駆動する電子回路を改変して、水晶が発生する音響信号に追加情報を符号化するために、他の方式を使用することができる。例えば、本発明の実施形態を限定することなしに、水晶及び／又は水晶を駆動する電子回路を改変する他の方式は、周波数変調（ＦＭ）、振幅変調（ＡＭ）、及び位相変調（ＰＭ）を含むことができる。追加として、実施形態において、変調は、さらに、アナログ（すなわち、変調信号がアナログ信号である）、又はデジタル（すなわち、変調信号がデジタル信号である）とすることができる。本発明の実施形態では、デジタル変調方式は、キーイング、すなわち、周波数シフトキーイング、振幅シフトキーイング、及び位相シフトキーイングに基づくものを含むことができる。
【０１４９】
追加された水晶（又は他のトランスデューサ）
[0160]本発明のさらなる実施形態によれば、音響震動を発生することができる第２の要素（例えば、１つ又は複数の水晶要素及び／又は別のトランスデューサ）が、認証の目的でデバイスに追加される。実施形態において、物品は、第１の水晶と、多分、他の目的（典型的には、時間管理）に使用される追加の水晶とを既に含んでいることもいないこともある。物品が第１の水晶と他の目的（例えば、時間管理）のための追加の水晶とを含む場合、トランスデューサ（又はさらなる追加の水晶）の信号を、第１の水晶及び／又は追加の水晶に連結させることができる。実施形態において、特別な情報が、この第２の要素によって発生された震動に符号化される。実施形態において、第２の要素は、例えば、第２の水晶又は特別な圧電要素とすることができる。
【０１５０】
[0161]本発明の実施形態によれば、水晶（又は他のトランスデューサ）の材料、厚さ、及び幅を選び、計時器内での特定の配列を選択することによって、周波数、共振幅、及びＱなどの水晶の共振周波数特性を正確に構成することができる。所定の共振周波数特性をもつこの水晶を計時器に導入することによって、計時器の認証を途方もなく改善することができるが、その理由は、本発明の実施形態に関して説明している方法ステップを、認証されるべき計時器に適用することができ、認証には、周波数ドメイン電力スペクトル内の所定の分かっている共振周波数を探索することが含まれるからである。上記の原理により、周波数ドメイン電力スペクトルは、容易に認識できる狭いピークを有することができるようになるので、所定の共振周波数特性を有する水晶を含む計時器の認証は、周波数ドメイン電力スペクトル内の狭いピークの１つ又は複数の共振周波数を抽出することと、これらの抽出された共振周波数を水晶の所定の分かっている共振周波数と比較することとを含む。それ故に、追加された水晶は、一種の署名を計時器に導入することを可能にし、次に、一種の署名を計時器の認証に使用することができる。
【０１５１】
[0162]しかしながら、１つの水晶が決定され作り出された場合でさえ、計時器の製造は、製造上の公差を受けることが依然として残されており、その結果、周波数が分かっている場合でさえ、同じであるように見える２つの水晶要素について、本発明による方法を使用して効率的な方法で決定できる小さい差がある可能性が非常に高いことが残されている。しかしながら、上述で既に概要を述べたように、本発明の精度の信頼性及び程度は、そのような小さい差を識別することが可能であるようなものであることが本発明の発明者等によって観察された。そのために、これは、高級腕時計などの計時器の保護の強度を増強し、特別な腕時計を正確に再現することは全く不可能であることになる。
【０１５２】
非改変デバイス
[0163]本発明の実施形態の態様によれば、水晶及び／又は水晶を駆動する電子回路は改変されない（例えば、水晶及び／又は水晶を駆動する電子回路は、現状のまま採用される）。しかしながら、この場合、追加された水晶は時間管理目的に使用されないので、追加された水晶（又は他のトランスデューサ）の特性はより自由に選ぶことができる。
【０１５３】
主ピーク周波数
[0164]同様に上述したように、本発明の実施形態の態様によれば、追加された水晶によって発生された音響信号のスペクトルの主ピークの周波数は、識別及び／又は認証目的に使用することができる。
【０１５４】
主要で且つそれほど目立たないピーク周波数
[0165]本発明の追加の実施形態では、追加された水晶（又は他のトランスデューサ）によって発生された音響信号のスペクトルの１つ又は複数のそれほど目立たないピークを、スペクトルの主ピークと一緒に使用することができる。本発明の実施形態の態様によれば、音響信号のスペクトルの主ピークと、１つ又は複数のそれほど目立たないピークとの両方を利用することによって、物品（例えば、計時器）から得られる区別情報の量を増加させ、それにより、より高いレベルの識別及び／又は認証をもたらすことができる。
【０１５５】
特別に構成された水晶（又は他のトランスデューサ）
[0166]本発明の追加の実施形態では、水晶又は他のトランスデューサは、メッセージを符号化する音響信号を発するように構成する（例えば、巧みに実行する）ことができる。実施形態において、信号は、例えば、シリアル番号、メッセージなどを符号化するために随意に長く及び／又は複雑にすることができる。
【０１５６】
[0167]図７は、本発明の実施形態による、約３２７６８．３９Ｈｚの固有周波数ｆ０７０５をもつ水晶発振器と、それぞれ周波数ｆ０−１００Ｈｚ及びｆ０＋１００Ｈｚの２つの正弦波で励振される圧電トランスデューサとを組み込んでいるデバイスの例示的なスペクトル７００を示す。図７は、第２の要素の励起信号ｕ（ｔ）としてそれぞれ周波数ｆ０−１００Ｈｚ及びｆ０＋１００Ｈｚの２つの正弦波を使用し、信号Ｓｏｕｔ（ｔ）のフーリエ変換を使用することによって得られた例示的で非限定の結果を示す。非限定の例において、３つのスペクトル７０５、７１０、７１５は、それぞれ、数値−１００及び１００を符号化するように明確に定めることができる。ここで与えられた例は、限定ととられるべきでない。他の信号を変調及び／又は励振として使用することができ、本発明は他の符号化方式を想定している。
【０１５７】
[0168]実施形態において、計時器は２つの水晶要素を含むことができ、第１の水晶要素は時間管理目的に専用であり、第２の水晶要素は識別目的に専用である。実施形態において、第２の水晶要素は、所定のメッセージ又は任意のメッセージを一斉送信するように設計することができる。
【０１５８】
[0169]実施形態において、２つの水晶要素を有する計時器では、第１の水晶要素を第２の水晶要素に連結させることができる。例示的で非限定の実施形態では、第１の水晶要素を第２の水晶要素に相関させる（例えば、数学的に相関させる）ことができる。さらなる例示的で非限定の実施形態では、第２の水晶要素は第１の水晶要素に基づいて設計することができる。
【０１５９】
[0170]さらなる実施形態において、計時器は、２つを超える（例えば、３つの）水晶要素を含むことができ、第１の水晶要素は時間管理目的に専用であり、残りの（例えば、２つの）水晶要素は識別目的に専用である。実施形態において、第２の水晶要素は、所定のメッセージ又は任意のメッセージを一斉送信するように設計することができる。
【０１６０】
[0171]実施形態において、水晶は、ある範囲の可変性（例えば、狭い可変性）を生成するように製造することができ、それぞれのデバイスの水晶のピーク周波数は、近い（例えば、可変性の範囲内である）が、正確には同じ（例えば、独自）ではない。本発明の態様によれば、ある範囲の可変性を生成するように製造された水晶は、識別の「一般的な」製造元及び／又はモデルレベルと、「特別な」個々の認証との両方を可能にする。
【０１６１】
[0172]本発明のさらなる実施形態では、計時器は、時間管理目的及び識別目的の両方に専用の単一の水晶要素を含むことができる。例えば、単一の水晶は、パルス（時間管理のための）を発生するための第１の周波数を発し、その上、例えば、同時に、認証メッセージを符号化するのに使用される第２の周波数を発するように設計することができる。
【０１６２】
[0173]追加の実施形態では、計時器は、時間管理目的に専用の単一の水晶要素と、識別目的に専用のトランスデューサとを含むことができる。
【０１６３】
[0174]本発明の実施形態の精度の信頼性及び程度は、同一モデルの計時器間の差さえも識別することが可能であるようなものであることが本発明の実施形態の発明者等によって観察された。実際、製造上の公差のために、同一のモデルの２つの計時器でさえ互いに異なる。本発明で強調している原理を同じシリーズ及び同じ製造業者からの異なる計時器に適用するとき、対応する音響測定値が異なり、それぞれの計時器の指紋を特徴づける抽出された関連するそれぞれの周波数情報は異なることが見て分かる。それ故に、識別子（例えば、独自の識別子）は、計時器を開ける必要なしに計時器を明確に定めることができる。
【０１６４】
[0175]計時器（例えば、腕時計）との関連で上述したが、本発明のさらなる実施形態によれば、モバイルデバイス（例えば、モバイルフォン）は同じ識別／認証手法を利用することができる。図８及び図９に示すように、同じモデル及び製造業者のいくつかのモバイルフォンが分析されており、上述で論じた、腕時計と同様の結果を伴っていた。
【０１６５】
[0176]図８は、本発明の実施形態による同じモデル及び製造業者の３つのモバイルフォンの例示的な正規化スペクトルを示す。図８に示すように、表示されたスペクトルの各々はほぼ３２７６８．５Ｈｚ〜３２７６９．０Ｈｚのまわりに目立つピークを有すること、しかし、さらに、ピークの各々がわずかに異なる周波数を有することが明らかである。
【０１６６】
[0177]図９は、本発明の実施形態による異なる時間に取られた同じモバイルフォンの例示的な正規化スペクトルを示す。図９において同じモバイルフォンの繰返し測定で示されているように、ピーク位置は、やはり、かなり安定しており、再現性よく測定することができる。周波数ピークは、すべての測定で同じ位置に一貫して信頼性高く見いだされている。
【０１６７】
[0178]図１及び図８に示されているように、異なるモデルの製品（例えば、それぞれ、計時器及びモバイルフォン）は、異なる特性周波数表示を有することになる。その結果、認証されるべき計時器の周波数表示を、この特定の計時器モデルで予測される基準周波数表示と比較することによって、認証されるべき計時器に関する真正性情報を引き出すことができる。それ故に、認証されるべき計時器が真正の製品か又は偽造の製品かを引き出すことができる。追加として、図１に示したように、同じモデルの腕時計は異なる時間−周波数表示を示すことができ、その結果、時間−周波数表示は特定の計時器の独自の識別子として使用することができる。
【０１６８】
[0179]特定の計時器の上述の測定値は、ある期間にわたって変化しない（すなわち、安定したままである）はずである。例えば、腕時計の構成要素が触れられないか又は操作されない限り、特定の計時器の上述の測定値は変化しないはずである。当然、計時器の保守では（例えば、計時器が開けられたとき）、上述の測定値は影響されることがある。したがって、計時器保守が実行されたとき（例えば、計時器が開けられたとき）、計時器は再認証されるべきである（例えば、計時器の水晶のピーク周波数が再捕捉されるべきであり、上述の測定のうちの１つ又は複数についての結果は識別され記憶されるべきである）。実施形態において、ひとたび計時器が再認証されれば、上述の測定のうちの１つ又は複数についての結果は、さらに、例えばデータベース中の計時器ＩＤ（例えば、計時器シリアル番号）と連結させることができる。
【０１６９】
[0180]計時器の上述の測定値は、ある期間にわたって変化しないはずであるが、本発明の実施形態は、それぞれの計時器の上述の測定値の一部はある期間にわたって変化する（例えば、わずかに）ことがあることを想定している。したがって、本発明の実施形態によれば、計時器の肯定的認証を決定するための閾値を、計時器の経年数に基づいて構成する（例えば、低下させる）ことができる。すなわち、実施形態において、より古い計時器は、記憶されている時間測定値、周波数測定値、及び／又は大きさ測定値（又は測定値に基づく記憶されている識別子）との比較を介して、肯定的認証のためにより低い閾値に従うことができる。実施形態において、計時器は、経時的な計時器の変化（ｅｖｏｌｕｔｉｏｎ）（例えば、任意の特性変化）に対処するために定期的に（例えば、年１回）再認証することができる。
【０１７０】
[0181]さらなる想定している実施形態では、計時器の分析は、２つのレベル（例えば、それほど強くない第１のレベル及びより強い第２のレベル）とすることができる。例えば、第１のレベルの分析（例えば、初期評価）では、計時器が真正である（すなわち、特定の製造元及びモデルとして認証されている）かどうかを決定するために、計時器は、製造元及びモデルによって（例えば、ある範囲の周波数内のピークを使用して）識別することができる。この第１のレベルの分析では、評価により、例えば、計時器が実際に特定の製造元及び／又はモデルであることが決定され得る。第２のレベルの分析は、計時器の独自の「指紋」を識別するために、発せられた音響のより深い分析（例えば、特別なピーク、又はある範囲の周波数内のピークを使用する）を含むことができる。この独自の「指紋」は、データベースに記憶し、及び／又は計時器を肯定的に識別するのに以前に記憶された指紋と比較することができる。実施形態において、第１及び第２のレベルの分析のいずれか又は両方を、新しい計時器で、又は以前に分析されなかった中古の計時器で行うことができる。
【０１７１】
[0182]実施形態において、水晶発振器は、機械式腕時計に、例えば電力なしに、受動発振器として配列することができる。電力なしでは、発振器に含まれた水晶結晶板は、ある周波数で共振することができ、別のエネルギー源（例えば、衝撃）によって作動されたとき共振することができる。対照的に、能動発振器では、電力（例えば、使用されているバッテリからの）を使用し、信号を電極で水晶に送って、時間管理目的のための発振を発生する。能動発振器では、バッテリ及びマイクロプロセッサを使用して、水晶発振器を駆動する。能動発振器が音響を発しているとき、能動発振器の主要な機能は時間基準として働くことである。本発明は、いくつかの実施形態において、機械式腕時計で能動発振器を利用され得ることを想定している。そのような実施形態は、例えば、水晶を駆動するために電源（例えば、バッテリ）とマイクロプロセッサとを含むことになるが、しかしながら、機械式腕時計は時間管理目的には機械的可動部に依存するので、水晶発振器は時間管理目的に利用されないことになる。この例示的な実施形態では、水晶発振器は、本発明の実施形態に従って識別及び認証目的に使用されることになる。
【０１７２】
[0183]腕時計及びモバイルデバイス（例えば、モバイル電話）に関して上述したが、本発明は、他の電気機器又はデバイスに適用することができる。水晶震動を利用する代わりに、本発明の実施形態は、例えば、画面のリフレッシュレート、又は電気機器若しくはデバイス内の反復活動の動作の何らかの周波数を利用することができる。
【０１７３】
システム環境
[0184]当業者によって十分理解されるように、本発明は、計時器、システム、方法、又はコンピュータプログラム製品として具現することができる。それに応じて、本発明は、完全にハードウェア実施形態、完全にソフトウェア（トランスデューサ及びＡ／Ｄコンバータを除いて）実施形態（ファームウェア、常駐ソフトウェア、マイクロコードなどを含む）、又はすべて、一般に、本明細書で「回路」、「モジュール」、又は「システム」と呼ばれることがあるソフトウェア態様とハードウェア態様とを組み合わせた実施形態の形態をとることができる。その上に、本発明は、媒体に具現化されたコンピュータ使用可能プログラムコードを有する任意の有形表現媒体に具現化されたコンピュータプログラム製品の形態をとることができる。
【０１７４】
[0185]１つ又は複数のコンピュータ使用可能又はコンピュータ可読媒体（複数可）の任意の組合せを利用することができる。コンピュータ使用可能又はコンピュータ可読媒体は、例えば、限定はしないが、電子、磁気、光学、電磁気、赤外線、若しくは半導体システム、装置、デバイス、又は伝搬媒体とすることができる。コンピュータ可読媒体のより具体的な例（網羅的でないリスト）には、
１つ又は複数のワイヤを有する電気接続、
ポータブルコンピュータディスケット、
ハードディスク、
ランダムアクセスメモリ（ＲＡＭ）、
読取り専用メモリ（ＲＯＭ）、
消去可能プログラム可能読取り専用メモリ（ＥＰＲＯＭ又はフラッシュメモリ）、
光ファイバ、
ポータブルコンパクトディスク読取り専用メモリ（ＣＤＲＯＭ）、
光記憶デバイス、
インターネット又はイントラネットをサポートするものなどの伝送媒体、
磁気記憶デバイス
ＵＳＢキー、
証明書、
穿孔カード、及び／又は
モバイルフォン
が含まれる。
【０１７５】
[0186]本明細書との関連で、コンピュータ使用可能又はコンピュータ可読媒体は、命令実行システム、装置、又はデバイスによって又はそれに関連して使用するためのプログラムを含む、記憶する、通信する、伝搬する、又は移送することができる任意の媒体とすることができる。コンピュータ使用可能媒体は、ベースバンドで又は搬送波の一部として伝搬データ信号で具現化されたコンピュータ使用可能プログラムコードをもつ伝搬データ信号を含むことができる。コンピュータ使用可能プログラムコードは、限定はしないが、ワイヤレス、ワイヤライン、光ファイバケーブル、ＲＦなどを含む任意の適切な媒体を使用して伝送することができる。
【０１７６】
[0187]本発明の動作を実行するためのコンピュータプログラムコードは、Ｊａｖａ、Ｓｍａｌｌｔａｌｋ、Ｃ＋＋などのようなオブジェクト指向プログラミング言語、及び「Ｃ」プログラミング言語又は同様のプログラミング言語などの従来の手続きプログラミング言語を含む１つ又は複数のプログラミング言語の任意の組合せで書くことができる。プログラムコードは、完全にユーザのコンピュータ上で、部分的にユーザのコンピュータ上で、スタンドアロンソフトウェアパッケージとして、部分的にユーザのコンピュータ上及び部分的にリモートコンピュータ上又は完全にリモートコンピュータ若しくはサーバ上で実行することができる。後者のシナリオでは、リモートコンピュータは、任意のタイプのネットワークを通してユーザのコンピュータに接続することができる。これは、例えば、ローカルエリアネットワーク（ＬＡＮ）又は広域ネットワーク（ＷＡＮ）を含むことができ、又は接続が、外部コンピュータに対して（例えば、インターネットサービスプロバイダを使用してインターネットを介して）行われ得る。追加として、実施形態において、本発明は、フィールドプログラマブルゲートアレイ（ＦＰＧＡ）で具現化することができる。
【０１７７】
[0188]図１０は、本発明による、プロセスを管理するための例示的な環境１９００を示す。この点で、環境１９００は、本明細書で説明するプロセスを実行することができるサーバ又は他のコンピューティングシステム１９０５を含む。特に、サーバ１９０５は、コンピューティングデバイス１９１０を含む。コンピューティングデバイス１９１０は、サードパーティサービスプロバイダのネットワークインフラストラクチャ又はコンピューティングデバイス（それらのいずれも図１０に一般的に表されている）に常駐することができる。
【０１７８】
[0189]実施形態において、コンピューティングデバイス１９１０には、例えば、本明細書で説明しているプロセスの、１つ又は複数の検出された音響を測定し、１つ又は複数の検出された音響の一部分を減衰させ、信号を変換し、信号のピークを識別し、少なくとも１つの共振周波数を抽出し、例えば、電気信号から、又は時間、周波数、若しくは時間−周波数ドメインの前記電気信号の表示から、前記複数の音響事象のうちの１つのものの大きさに関する大きさ情報、前記複数の音響事象の前記１つに関する時間情報、及び前記複数の音響事象のうちの前記１つのものの周波数に関する周波数情報のうちの少なくとも１つを抽出し、抽出された情報に基づいて識別子を作り出し、抽出された情報を、記憶されている情報と比較し（例えば、少なくとも１つの共振周波数を比較し）、真正性を決定するように動作可能である測定ツール１９４５、減衰ツール１９５０、変換ツール１９５５、ピーク識別ツール１９６０、抽出ツール１９６５、識別ツール１９７０、比較ツール１９７５、及び真正性決定ツール１９８０が含まれる。測定ツール１９４５、減衰ツール１９５０、変換ツール１９５５、ピーク識別ツール１９６０、抽出ツール１９６５、識別ツール１９７０、比較ツール１９７５、及び真正性決定ツール１９８０は、別個の又は組み合わされたモジュールとしてのメモリ１９２５Ａに記憶されたプログラム制御１９４０の１つ又は複数のプログラムコードとして実装することができる。
【０１７９】
[0190]コンピューティングデバイス１９１０は、プロセッサ１９２０、メモリ１９２５Ａ、Ｉ／Ｏインタフェース１９３０、及びバス１９２６をさらに含む。メモリ１９２５Ａは、プログラムコードの実際の実行の間利用されるローカルメモリと、大容量記憶装置と、実行中にコードが大容量記憶装置から抽出されなければならない回数を減少させるために少なくともいくつかのプログラムコードの一時記憶を行うキャッシュメモリとを含むことができる。加えて、コンピューティングデバイスは、ランダムアクセスメモリ（ＲＡＭ）、読取り専用メモリ（ＲＯＭ）、及びオペレーティングシステム（Ｏ／Ｓ）を含む。
【０１８０】
[0191]コンピューティングデバイス１９１０は、外部Ｉ／Ｏデバイス／リソース１９３５及び記憶システム１９２５Ｂと通信する。例えば、Ｉ／Ｏデバイス１９３５は、個人がコンピューティングデバイス１９１０と対話できるようにする任意のデバイス、又はコンピューティングデバイス１９１０が任意のタイプの通信リンクを使用して１つ又は複数の他のコンピューティングデバイスと通信できるようにする任意のデバイスを含むことができる。外部Ｉ／Ｏデバイス／リソース１９３５は、例えば、手持ち式デバイス、ＰＤＡ、ハンドセット、キーボード、スマートフォンなどとすることができる。追加として、本発明の態様によれば、環境１９００は、１つ又は複数の計時器からの音響震動（例えば、音波放出）を測定するための測定デバイス１９８５を含む。
【０１８１】
[0192]一般に、プロセッサ１９２０は、メモリ１９２５Ａ及び／又は記憶システム１９２５Ｂに記憶できるコンピュータプログラムコード（例えば、プログラム制御１９４０）を実行する。その上、本発明の態様によれば、プログラムコードを有するプログラム制御１９４０は、測定ツール１９４５、減衰ツール１９５０、変換ツール１９５５、ピーク識別ツール１９６０、抽出ツール１９６５、識別ツール１９７０、比較ツール１９７５、及び真正性決定ツール１９８０を制御する。コンピュータプログラムコードを実行している間、プロセッサ１９２０は、メモリ１９２５Ａ、記憶システム１９２５Ｂ、及び／又はＩ／Ｏインタフェース１９３０から／にデータを読み出し及び／又は書き込むことができる。プログラムコードは、本発明のプロセスを実行する。バス１９２６は、コンピューティングデバイス１９１０の構成要素の各々の間に通信リンクを設ける。
【０１８２】
[0193]コンピューティングデバイス１９１０は、それにインストールされたコンピュータプログラムコードを実行することができる任意の汎用コンピューティング製品（例えば、パーソナルコンピュータ、サーバなど）を含むことができる。しかしながら、コンピューティングデバイス１９１０は、本明細書で説明するプロセスを実行する様々なあり得る等価なコンピューティングデバイスを単に表すことを理解されたい。この点で、実施形態において、コンピューティングデバイス１９１０によって与えられる機能は、汎用及び／又は専用のハードウェア及び／又はコンピュータプログラムコードの任意の組合せを含むコンピューティング製品で実施することができる。各実施形態において、プログラムコード及びハードウェアは、それぞれ、標準プログラミング技法及びエンジニアリング技法を使用して作り出すことができる。
【０１８３】
[0194]同様に、コンピューティングインフラストラクチャ１９０５は、本発明を実施するための様々なタイプのコンピュータインフラストラクチャの単なる例示である。例えば、実施形態において、サーバ１９０５は、本明細書で説明するプロセスを実行するために、ネットワークなどの任意のタイプの通信リンクで通信する２つ以上のコンピューティングデバイス（例えば、サーバクラスタ）、シェアードメモリなどを含む。さらに、本明細書で説明するプロセスを実行している間、サーバ１９０５の１つ又は複数のコンピューティングデバイスは、任意のタイプの通信リンクを使用して、サーバ１９０５の外の１つ又は複数の他のコンピューティングデバイスと通信することができる。通信リンクは、有線リンク及び／又はワイヤレスリンクの任意の組合せ、すなわち、１つ又は複数のタイプのネットワーク（例えば、インターネット、広域ネットワーク、ローカルエリアネットワーク、仮想プライベートネットワークなど）の任意の組合せを含むことができ、及び／又は伝送技法及びプロトコルの任意の組合せを利用することができる。
【０１８４】
流れ図
[0195]図１１、図１２及び図１３は、本発明の態様を実行するための例示的な流れを示す。図１１、図１２及び図１３のステップは、例えば、図１０の環境で実施することができる。流れ図は、本発明の実施形態のハイレベルブロック図を同様に表すことができる。図１１、１２、及び１３のフローチャート及び／又はブロック図は、本発明の様々な実施形態によるシステム、方法、及びコンピュータプログラム製品のあり得る実施態様のアーキテクチャ、機能、及び動作を示す。この点に関しては、フローチャート又はブロック図の各ブロックは、特定の論理機能（複数可）を実施するための１つ又は複数の実行可能命令を含むコードのモジュール、セグメント、又は一部分を表すことができる。いくつかの代替の実施態様では、ブロックに記した機能は、図に記した順序から外れて行うことができることにも留意されたい。例えば、連続して示されている２つのブロックは、実際には、実質的に同時に実行することができ、又はブロックは、時には、必要とされる機能に応じて逆の順序で実行することができる。各フローチャートの各ブロック及びフローチャートの説明の組合せは、上述のように、特定の機能若しくは作用を実行する専用ハードウェアベースシステム、又は専用ハードウェア及びコンピュータ命令及び／又はソフトウェアの組合せによって実施することができる。その上、流れ図のステップは、クライアントサーバ関係にあるサーバから実施及び実行することができ、又はユーザワークステーションに伝えられる動作情報を用いてユーザワークステーション上で走ることができる。一実施形態では、ソフトウェア要素は、ファームウェア、常駐ソフトウェア、マイクロコードなどを含む。
【０１８５】
[0196]その上に、本発明は、コンピュータ又は任意の命令実行システムによって又はそれに関連して使用するためのプログラムコードを提供するコンピュータ使用可能又はコンピュータ可読媒体からアクセス可能なコンピュータプログラム製品の形態をとることができる。ソフトウェア及び／又はコンピュータプログラム製品は、図１０の環境に実装することができる。この説明のために、コンピュータ使用可能又はコンピュータ可読媒体は、命令実行システム、装置、又はデバイスによって又はそれに関連して使用するためのプログラムを含む、記憶する、通信する、伝搬する、又は移送することができる任意の装置とすることができる。媒体は、電子、磁気、光学、電磁気、赤外線、若しくは半導体システム（又は装置又はデバイス）、又は伝搬媒体とすることができる。コンピュータ可読記憶媒体の例には、半導体又は固体メモリ、磁気テープ、取外し可能コンピュータディスケット、ランダムアクセスメモリ（ＲＡＭ）、読取り専用メモリ（ＲＯＭ）、固定磁気ディスク、及び光ディスクが含まれる。光ディスクの現在の例には、コンパクトディスク−読取り専用メモリ（ＣＤ−ＲＯＭ）、コンパクトディスク−読取り／書込み（ＣＤ−Ｒ／Ｗ）、及びＤＶＤが含まれる。
【０１８６】
[0197]図１１は、計時器の識別コードを作り出し記憶するための例示的な流れ２０００を示す。ステップ２００５において、測定ツールは、電気信号を得るために音響震動を測定する。図１１に示すように、ステップ２０１０において、減衰ツールは、前記電気信号中の複数の音響事象を減衰させる。ステップ２０１５において、変換ツールは、前記処理された電気信号の電力の変化を周波数の関数として示す周波数ドメイン電力スペクトルを得る。ステップ２０２０において、ピーク識別ツールは、少なくとも１つの狭いピークを識別する。ステップ２０２５において、抽出ツールは、少なくとも１つの共振周波数を抽出する。例えば、抽出ツールは、前記電気信号から、又は時間、周波数、若しくは時間−周波数ドメインにおける前記電気信号の表示から、計時器の要素の存在に関連する少なくとも１つの特別な音調を含む前記複数の音響事象のうちの１つ（例えば、水晶共振周波数及び／又は機械的部品共振周波数）のものの大きさに関する大きさ情報、前記複数の音響事象のうちの前記１つに関する時間情報、及び前記複数の音響事象のうちの前記１つのものの周波数に関する周波数情報のうちの少なくとも１つを抽出する。ステップ２０３０において、識別ツールは、前記少なくとも１つの共振周波数に基づいて（例えば、大きさ情報、時間情報、及び周波数情報のうちの少なくとも１つに基づいて）識別コードを作り出す。ステップ２０３５において、識別ツールは、識別コードを記憶システム、例えば、データベースに記憶する。
【０１８７】
[0198]図１２は、計時器の認証及び／又は識別のための例示的な流れ２１００を示す。図１２に示すように、ステップ２１０５において、測定ツールは、電気信号を得るために音響震動を測定する。ステップ２１１０において、減衰ツールは、前記電気信号中の複数の音響事象を減衰させる。ステップ２１１５において、変換ツールは、前記処理された電気信号の電力の変化を周波数の関数として示す周波数ドメイン電力スペクトルを得る。ステップ２１２０において、ピーク識別ツールは、少なくとも１つの狭いピークを識別する。ステップ２１２５において、抽出ツールは、少なくとも１つの共振周波数を抽出する。例えば、抽出ツールは、前記電気信号から、又は時間、周波数、若しくは時間−周波数ドメインにおける前記電気信号の表示から、前記複数の音響事象のうちの１つのものの大きさに関する大きさ情報、前記複数の音響事象のうちの前記１つに関する時間情報、及び前記複数の音響事象のうちの前記１つのものの周波数に関する周波数情報のうちの少なくとも１つを抽出する。ステップ２１３０において、識別ツールは、前記少なくとも１つの共振周波数に基づいて（例えば、大きさ情報、時間情報、及び周波数情報のうちの少なくとも１つに基づいて）、得られた識別コードを作り出す。ステップ２１３５において、比較ツールは、得られたコードを、記憶されている識別コードと比較する。ステップ２１４０において、認証決定ツールは、得られたコードが、記憶されている識別コードと一致するかどうかを決定する。ステップ２１４０において、得られたコードが、記憶されている識別コードと一致すると認証決定ツールが決定した場合、ステップ２１４５において、計時器は真正であると決定される。ステップ２１４０において、得られたコードが、記憶されている識別コードと一致しないと認証決定ツールが決定した場合、ステップ２１５０において、計時器は真正でないと決定される。
【０１８８】
[0199]図１３は、計時器の認証及び／又は識別のための例示的な流れ２２００を示す。図１３は、以下のように説明される略語を利用する。ＱＣ１、すなわち、水晶結晶板１は、共振周波数が計時器の時間基準として働く圧電機械共振器である。ＥｌＯ１、すなわち、電子回路は、計時器の時間基準として働く振動電子信号を発生するためにＱＣ１を駆動するために使用される。ＱＯ１は、ＱＣ１＋ＥｌＯ１から構成された水晶ベース電子発振器である。ＥｌＤ１、すなわち、電子／電気機械回路は、腕時計を駆動する及び／又は動作させること、例えば、基準の発振を計数すること、アナログ時計の針を進めること、デジタル腕時計のディスプレイを駆動することなどを行うために使用される。ＥＭＴ、すなわち、電気機械トランスデューサは、適切な電気信号で駆動されたとき音響震動を発することができる要素である。実施形態において、ＥＭＴは、水晶結晶板（例えば、ＱＣ２）とする場合もあり、そうしない場合もある。
【０１８９】
[0200]実施形態において、計時器は、単一の水晶結晶板共振器（例えば、単一の既存の水晶）を含むことができる。実施形態において、単一の水晶結晶板共振器は非改変とすることができる（例えば、非改変デバイス）。追加の実施形態では、単一の水晶結晶板共振器は改変することができる（例えば、改変デバイス）。改変デバイスの実施形態では、水晶主要周波数は、１組の追加のピークを発生させるために変調することができる。改変デバイスの追加の実施形態では、水晶主要周波数は、時間可変信号で変調することができる。
【０１９０】
[0201]さらなる実施形態では、計時器は、多数の水晶結晶板共振器（又は他のトランスデューサ）（例えば、追加された水晶又は他のトランスデューサ）を含むことができる。実施形態において、多数の水晶結晶板共振器は非改変とすることができる（例えば、非改変デバイス）。追加の実施形態では、多数の水晶結晶板共振器は改変することができる（例えば、改変デバイス）。改変デバイスの実施形態では、水晶主要周波数は、１組の追加のピークを発生させるために変調することができる。改変デバイスの追加の実施形態では、水晶主要周波数は、時間可変信号で変調することができる。改変デバイスの追加の実施形態では、水晶（又は他のトランスデューサ）は、メッセージを符号化する音響信号を発するように構成する（例えば、巧みに実行する）ことができる（例えば、特別に構成された水晶又は他のトランスデューサ）。
【０１９１】
[0202]図１３に示すように、ステップ２２０５において、計時器が提示される。ステップ２２１０において、音響信号が取得される。ステップ２２１５において、計時器が１つ又は複数の追加のトランスデューサを含んでいるかどうかの決定がなされる。ステップ２２１５において、計時器が余分なトランスデューサを含んでいない（すなわち、計時器が単一のトランスデューサ又は水晶共振器を含んでいる）と決定された場合、ステップ２２２０において、水晶結晶板（すなわち、「ＱＣ１」）と、水晶結晶板を駆動するのに使用される電子回路（すなわち、「Ｅｌ０１」）とからなる水晶共振器（又は水晶ベース電子発振器）（すなわち、「ＱＯ１」）が改変されているかどうかの決定がなされる。ステップ２２２０において、水晶ベース電子発振器が改変されていないと決定された場合、ステップ２２２５において、水晶ベース電子発振器の音響信号のみが使用されているかどうかに関する決定がなされる。ステップ２２２５において、水晶ベース電子発振器の音響信号のみが使用されていると決定された場合、ステップ２２３０において、周波数ドメインスペクトル（例えば、少なくとも１つのピークを有する）を得るために、音響信号のフーリエ変換が実行される。ステップ２２３５において、主要周波数のみが計時器識別特性のために使用されているかどうかに関する決定がなされる。ステップ２２３５において、主要周波数のみが使用されていると決定された場合、ステップ２２４０において、主要周波数は、記憶され、及び／又は１つ又は複数の基準値（例えば、認証及び／又は識別のための）と比較される。ステップ２２３５において、追加の周波数が使用されていると決定された場合、ステップ２２４５において、主要周波数及び追加周波数が、記憶され、及び／又は１つ又は複数の基準値と比較される。
【０１９２】
[0203]ステップ２２２５において、計時器の識別特性が、水晶ベース電子発振器音響信号だけでなく、追加の音響信号にも基づいていると決定された場合、ステップ２２５０において、周波数情報のみが使用されているかどうかの決定がなされる。ステップ２２５０において、周波数情報のみが使用されていると決定された場合、ステップ２２５５において、周波数ドメインスペクトル（例えば、主ピーク及び追加のピークを有する）を得るために、音響信号のフーリエ変換が実行される。ステップ２２６０において、主要周波数及び追加周波数が、記憶され、及び／又は１つ又は複数の基準値と比較される。ステップ２２５０において、周波数情報が独占的に使用されていない（例えば、追加情報が周波数情報と一緒に使用されている、又は追加情報が周波数情報なしに使用されている）と決定された場合、ステップ２２６５において、時間−周波数ドメインを得るために、別の変換（例えば、ウェーブレット、スペクトログラムなどのような時間−周波数ドメイン変換）が使用される。ステップ２２７０において、計時器の識別情報が、記憶され、及び／又は１つ又は複数の基準値と比較される。
【０１９３】
[0204]ステップ２２２０において、水晶ベース電子発振器が改変されていると決定された場合、ステップ２２７５において、水晶結晶板それ自体のみが改変されているかどうかに関する決定がなされる。ステップ２２７５において、水晶結晶板それ自体のみが改変されていると決定された場合、プロセスはステップ２２２５に続く。ステップ２２７５において、水晶結晶板それ自体以上のものが改変されている（例えば、水晶結晶板を駆動するのに使用される電子回路（例えば、「Ｅｌ０１」）、及び／又は腕時計を駆動し動作させるのに使用される電子／電気機械回路（例えば、「ＥｌＤ１」）も改変されている）と決定された場合、ステップ２２８５において、水晶ベース電子発振器（例えば、「ＱＯ１」）がＡＭ又はＦＭ変調されているかどうかに関して決定がなされる。ステップ２２８５において、水晶ベース電子発振器（例えば、「ＱＯ１」）がＡＭ又はＦＭ変調されていると決定された場合、ステップ２２９０において、周波数情報のみが使用されるかどうかに関する決定がなされる。ステップ２２９０において、周波数情報のみが使用されていると決定された場合、ステップ２２９５において、少なくとも１つのピーク周波数を見えるようにする周波数ドメインスペクトルを得るために、音響信号のフーリエ変換が実行される。ステップ２３００において、主ピーク周波数及び追加のピーク周波数が、記憶され、及び／又は１つ又は複数の基準値と比較される。
【０１９４】
[0205]ステップ２２９０において、周波数情報が独占的に使用されていない（例えば、追加情報（例えば、時間ドメイン情報）が周波数情報と一緒に使用されている、又は追加情報が周波数情報なしに使用されている）と決定された場合、ステップ２３０５において、信号（例えば、ＡＭ又はＦＭ変調信号）は、時間ドメインに復調される。実施形態において、復調は、例えば、例えばＡＭ／ＦＭ無線伝送で行われるような搬送周波数の信号との非線形混合（アナログ及び／又はデジタル）によって行うことができる。ステップ２３１０において、復調信号は、識別メッセージを見えるようにするために復号され、１つ又は複数の基準値（例えば、予測される識別メッセージ）と比較される。代替として、ステップ２２９０において、周波数情報が独占的に使用されていない（例えば、追加情報（例えば、時間−周波数ドメイン情報）が周波数情報と一緒に使用されているか、又は追加情報が周波数情報なしに使用されている）と決定された場合、ステップ２３１５において、信号の時間−周波数変換を実行することができる。実施形態において、時間−周波数変換は、他の想定される時間−周波数変換の中で特に、例えば、ウェーブレット、スペクトログラム、又は短時間フーリエ変換を含むことができる。
【０１９５】
[0206]ステップ２２１５において、計時器が、１つ又は複数の追加のトランスデューサ（例えば、追加の水晶結晶板及び／又は電気機械トランスデューサ）を含んでいると決定された場合、ステップ２３２５において、追加のトランスデューサが水晶ベース電子発振器（例えば、水晶結晶板と、水晶結晶板を駆動するのに使用される電子回路とを含む）かどうかに関する決定がなされる。ステップ２３２５において、追加のトランスデューサが水晶ベース電子発振器であると決定された場合、プロセスはステップ２２２０に続き、非限定の実施形態において、例えば、第１の水晶発振器ＱＯ１及び第２の水晶発振器ＱＯ２の両方、第２の水晶発振器ＱＯ２のみ、又は第２の水晶発振器ＱＯ２及び第３の水晶発振器ＱＯ３に対して、分析を実行することができる。
【０１９６】
[0207]ステップ２３２５において、追加のトランスデューサが水晶ベース電子発振器でないと決定された場合、ステップ２３３５において、識別信号（例えば、例えばボタンを押す際の適切な電気信号）が追加のトランスデューサ（複数可）に送られて、任意に長い信号とすることができる識別信号をトランスデューサから引き出すことができる。実施形態において、トランスデューサ及び検出システムによってサポートされる任意の識別信号を送ることができる。例えば、非限定の実施形態において、識別信号は、スペクトラム拡散技法（周波数ホッピングなど）、周波数シフトキーイングなどを利用することができる。ステップ２３４０において、識別信号は、メッセージを識別するために復号され、１つ又は複数の基準値（例えば、予測されるメッセージ）と比較される。
【０１９７】
[0208]特別な実施形態を参照しながら本発明を説明したが、本発明の真の趣旨及び範囲から逸脱することなく、様々な変更を行うことができ、均等物を本発明の要素の代わりに用いることができることを当業者は理解されよう。加えて、本発明の本質的な教示から逸脱することなく改変を行うことができる。
【図１Ａ】
2016536595.tif 000003
【図１Ｂ】
2016536595.tif 000004
【図２】
2016536595.tif 000005
【図３】
2016536595.tif 000006
【図４】
2016536595.tif 000007
【図５】
2016536595.tif 000008
【図６】
2016536595.tif 000009
【図７】
2016536595.tif 000010
【図８】
2016536595.tif 000011
【図９】
2016536595.tif 000012
【図１０】
2016536595.tif 000013
【図１１】
2016536595.tif 000014
【図１２】
2016536595.tif 000015
【図１３】
2016536595.tif 000016
【手続補正書】
【提出日】平成27年7月29日(2015.7.29)
【手続補正１】
【補正対象書類名】特許請求の範囲
【補正対象項目名】全文
【補正方法】変更
【補正の内容】
【特許請求の範囲】
【請求項１】
少なくとも１つの水晶発振器、及び
音響震動を発生するように動作可能な少なくとも１つのトランスデューサ
のうちの少なくとも１つを備える計時器であって、
前記少なくとも１つの水晶発振器及び前記少なくとも１つのトランスデューサのうちの少なくとも１つが、符号化された認証メッセージを有する音響信号を含む識別信号を放出するように構成されている、計時器。
【請求項２】
前記少なくとも１つの水晶発振器が、水晶ベース電子発振器である、請求項１に記載の計時器。
【請求項３】
前記ベース電子発振器が、
水晶結晶板と、
前記水晶結晶板を駆動するように構成された電子回路と
を備え、
駆動されると、前記水晶結晶板が振動電子信号を発生し、好ましくは、前記少なくとも１つの水晶発振器のうちの少なくとも１つのものの前記水晶結晶板が、当該計時器の時間基準として働く共振周波数を有する圧電機械共振器を備える、請求項２に記載の計時器。
【請求項４】
前記水晶発振器が、前記識別情報を符号化するように改変され、前記改変された水晶発振器が、振幅変調型及び周波数変調型のうちの一方であり、改変された水晶結晶板、前記水晶結晶板を駆動するように構成された改変された電子回路、及び当該計時器を駆動する及び／又は動作させるように構成された改変された電子／電気機械回路のうちの少なくとも１つを備える、請求項１に記載の計時器。
【請求項５】
前記少なくとも１つの水晶発振器及び前記少なくとも１つのトランスデューサのうちの前記少なくとも１つが、複数の水晶発振器を備え、好ましくは、前記複数の水晶発振器が、時間管理目的に専用の第１の水晶発振器と、当該計時器に設けられ、時間管理目的に使用されない少なくとも第２の水晶発振器とを備える、請求項１に記載の計時器。
【請求項６】
前記第１の水晶発振器及び前記少なくとも１つの第２の水晶発振器が各々異なる周波数ドメインを有する、請求項５に記載の計時器。
【請求項７】
前記少なくとも１つの第２の水晶発振器が、符号化された信号を一斉送信するように動作可能である、請求項５に記載の計時器。
【請求項８】
前記第１の水晶発振器の周波数ドメインが、前記少なくとも１つの第２の水晶発振器の周波数ドメインに基づき、又は前記少なくとも１つの第２の水晶発振器の周波数ドメインが、前記第１の水晶発振器の周波数ドメインに基づく、請求項５に記載の計時器。
【請求項９】
前記少なくとも１つの第２の水晶発振器が、前記符号化された認証メッセージを有する前記音響信号を放出するように構造化され配列されている、請求項５に記載の計時器。
【請求項１０】
前記少なくとも１つの水晶発振器が、特別な音調を発生するように構造化され配列されている、請求項１に記載の計時器。
【請求項１１】
当該計時器がモバイルデバイスに備えられており、又は当該計時器が腕時計である、請求項１に記載の計時器。
【請求項１２】
計時器モデルの計時器を認証する方法であって、
前記計時器によって放出された音響震動を測定して、電気信号を得るステップと、
少なくとも１つのドメインへの前記電気信号の変換を実行するステップと、
前記変換された電気信号から識別情報を抽出するステップと、
前記計時器モデルに対して以前に記憶された少なくとも１つの基準情報と、前記抽出された情報とを比較するステップと、
前記比較するステップに基づいて前記計時器の真正性を決定するステップと
を含む、方法。
【請求項１３】
前記基準情報が基準共振情報である、請求項１２に記載の方法。
【請求項１４】
前記計時器が、少なくとも１つの水晶発振器及び少なくとも１つのトランスデューサのうちの少なくとも１つを備え、前記水晶発振器、及び前記水晶発振器を駆動する電子回路のうちの少なくとも１つが、識別信号を放出するように構成され、前記識別信号が、符号化された認証メッセージを有する音響信号を含み、
当該方法が、前記水晶の共振周波数を変調して、信号周波数スペクトルに１組の追加のピークを発生させるステップをさらに含む、請求項１３に記載の方法。
【請求項１５】
前記電気信号が、前記測定された音響震動の大きさの変化を時間の関数として含む大きさ情報を示し、前記電気信号が、前記計時器の要素、例えば、水晶発振器などの存在に関連する少なくとも１つの特別な音調を含み、
前記電気信号の変換を実行するステップが、周波数ドメインへの前記電気信号の変換を実行して、前記電気信号の電力の変化を周波数の関数として示す周波数ドメイン電力スペクトルを得ることを含み、
当該方法が、前記周波数ドメイン電力スペクトルを処理して、前記少なくとも１つの特別な音調に対応する前記周波数ドメイン電力スペクトルの少なくとも１つの狭いピークを見えるようにするステップをさらに含み、
前記電気信号から識別情報を抽出するステップが、前記少なくとも１つの狭いピークに対応する少なくとも１つの共振周波数を抽出することを含み、
前記比較するステップが、前記抽出された少なくとも１つの共振周波数を前記少なくとも１つの基準共振周波数と比較することを含む、請求項１３に記載の方法。
【請求項１６】
請求項４に記載の前記計時器を認証する方法であって、前記計時器が計時器モデルの計時器であり、
当該方法が、
前記計時器によって放出された音響震動を測定して、電気信号を得るステップであり、前記電気信号が、前記測定された音響震動の大きさの変化を時間の関数として含む大きさ情報を示す、ステップと、
前記時間ドメインの前記電気信号を復調するステップと、
前記復調された電気信号を復号して、復号されたメッセージを見えるようにするステップと、
前記計時器モデルに対して以前に記憶された少なくとも１つの基準メッセージと、前記復号されたメッセージとを比較するステップと、
前記比較するステップに基づいて前記計時器の真正性を決定するステップと
を含む、方法。
【請求項１７】
請求項４に記載の前記計時器を認証する方法であって、前記計時器が計時器モデルの計時器であり、
当該方法が、
前記計時器によって放出された音響震動を測定して、電気信号を得るステップであり、前記電気信号が、前記測定された音響震動の大きさの変化を時間の関数として含む大きさ情報を示し、前記電気信号が、前記計時器の前記水晶発振器の存在に関連する少なくとも１つの特別な音調を含む、ステップと、
時間−周波数ドメインへの前記電気信号の時間−周波数ドメイン変換を実行するステップと、
前記電気信号を処理して、識別情報を見えるようにするステップと、
前記計時器モデルに対して以前に記憶された少なくとも１つの基準情報と、前記識別情報を比較するステップと、
前記比較するステップに基づいて前記計時器の真正性を決定するステップと
を含む、方法。
【請求項１８】
請求項５に記載の前記計時器を認証する方法であって、前記計時器が計時器モデルの計時器であり、
当該方法が、
検出信号を送るステップと、
前記検出信号に応答して、前記計時器によって放出された音響震動を測定して、電気信号を得るステップであり、前記電気信号が、前記測定された音響震動の大きさの変化を時間の関数として含む大きさ情報を示し、前記電気信号が、前記計時器の前記トランスデューサの存在に関連する少なくとも１つの特別な音調を含む、ステップと、
前記電気信号を復号して、復号されたメッセージを見えるようにするステップと、
前記計時器モデルに対して以前に記憶された少なくとも１つの基準メッセージと、前記復号されたメッセージとを比較するステップと、
前記比較するステップに基づいて前記計時器の真正性を決定するステップと
を含む、方法。
【国際調査報告】
2016536595.tif 000017
2016536595.tif 000018
2016536595.tif 000019